(57)【要約】試験問題を格納する問題格納手段（１４）と、試験問題の再生順序の基準となる順序データを保持する順序データ保持手段（１２）と、問題格納手段（１４）に格納されている試験問題を読み出す順序指示手段（１３）と、問題格納手段（１４）に格納されている試験問題を音声に再生する再生手段（１５）とを備え、順序指示手段（１３）が、問題格納手段（１４）に格納されている試験問題を、順序データ保持手段（１２）で保持されている順序データを基準にして読み出し、座席の位置に応じて試験問題の再生順序を入れ替える。【特許請求の範囲】
【請求項１】
試験問題を格納する問題格納手段と、
前記問題格納手段により格納された試験問題を再生する再生手段と、
上記試験問題の再生順序を指示する順序指示手段とを備えた、
ことを特徴とする個別試験実施装置。
【請求項２】
請求項１に記載の個別試験実施装置において、
前記順序指示手段へ与える再生順序指示データを保持させる順序データ保持手段を備えた、
ことを特徴とする個別試験実施装置。
【請求項３】
請求項１に記載の個別試験実施装置において、
当該個別試験実施装置の使用者が保有する個別の番号を入力する個別番号入力手段と、
前記順序指示手段へ与える再生順序指示データを上記個別番号から生成する順序データ生成手段とを備えた、
ことを特徴とする個別試験実施装置。
【請求項４】
請求項１から請求項３のいずれかに記載の個別試験実施装置であって、
前記順序指示手段へ動作指示を与える時刻指示手段と、
前記時刻指示手段が作動する時刻データを保持する時刻データ保持手段とを備えた、
ことを特徴とする個別試験実施装置。
【請求項５】
請求項１から請求項４のいずれかに記載の個別試験実施装置であって、
試験問題の再生に連動して解答を入力可能なように動作する解答入力手段と、
前記解答手段によって生成された解答データを格納する解答格納手段とを備えた、
ことを特徴とする個別試験実施装置。
【請求項６】
請求項１から請求項５のいずれかに記載の個別試験実施装置であって、
当該個別試験実施装置を作動させる電池の残量を監視する電池残量監視手段と、
前記電池残量監視手段により電池残量が一定レベル以下になると試験問題の進行度情報を格納する進行度格納手段とを備えた、
ことを特徴とする個別試験実施装置。
【請求項７】
試験問題を格納する試験問題格納手段と、
前記試験問題格納手段により格納された前記試験問題を再生する再生手段と、
個人情報を格納する個人情報格納手段と
前記個人情報格納手段により格納されている前記個人情報を読み出し、表示する表示手段と、を備えた、
ことを特徴とする個別試験実施装置。
【請求項８】
試験問題を格納する試験問題格納手段と、
前記試験問題格納手段により格納された前記試験問題を再生する再生手段と、
前記試験問題の再生に連動して解答を入力可能なように動作する解答入力手段と、
前記入力された解答を格納する解答格納手段と、
前記解答格納手段に格納された前記解答を無線で送信する無線通信手段と、を備えた、
ことを特徴とする個別試験実施装置。
【請求項９】
試験問題を格納する試験問題格納手段と、
前記試験問題格納手段により格納された前記試験問題を再生する再生手段と、
前記試験問題の再生に連動して解答を入力可能なように動作する解答入力手段と、
前記解答入力手段から入力された前記解答を逐次無線で送信する無線通信手段と、を備えた、
ことを特徴とする個別試験実施装置。
【請求項１０】
個別試験実施装置ごとに異なる固有番号を格納する固有番号格納手段と、
前記固有番号によって前記試験問題を暗号化して試験問題を格納する試験問題格納手段と、
前記試験問題格納手段により格納された前記試験問題を読み出して復号化する復号化手段と、
前記復号化して試験問題を再生する再生手段と、を備えた、
ことを特徴とする個別試験実施装置。
【請求項１１】
請求項１０記載の個別試験実施装置において、
前記試験問題の再生に連動して解答を入力可能なように動作する解答入力手段と、
前記入力された解答を保持する解答格納手段と、を備えた、
ことを特徴とする個別試験実施装置。
【請求項１２】
試験問題を保護情報として格納する試験問題格納手段と、
前記試験問題格納手段により格納された前記試験問題を再生する再生手段と、
前記試験問題格納手段と前記再生手段とがあらかじめ決められた組み合わせであることを確認する相互認証処理手段と、を備え、
前記相互認証処理手段により相互認証が確認された場合に、前記再生手段による試験問題の再生が行われる、
ことを特徴とする個別試験実施装置。
【請求項１３】
請求項１２記載の個別試験実施装置において、
前記試験問題格納手段と前記再生手段とがあらかじめ決められた組み合わせであることを確認した結果を表示する相互認証結果表示手段を備えた、
ことを特徴とする個別試験実施装置。
【請求項１４】
請求項１ないし１３のいずれかに記載の個別試験実施装置を用いた試験方法。
【発明の詳細な説明】
【技術分野】
【０００１】  本発明は、個別試験実施装置に関するものである。
【背景技術】
【０００２】  従来の、独立行政法人  大学入試センターが実施している「大学入試センター試験」におけるリスニングテストは、試験会場にあるスピーカーから音声を再生し、その試験会場にいる受験生に一斉に聞かせ、問題を解答する。解答はマークシートに記入する。しかし、試験会場の環境の違い、例えば、試験会場での座席位置によって再生される音声の聞こえ方の違いから生じる不公平性を解消するため、ヘッドホンやイヤホンを接続した個別試験実施装置を用いた試験方法が検討されている。【０００３】  この技術は、従来の文献として引用すべきものは見当たらなかったが、下記の非特許文献があり、周知の事実となっている。（例えば、非特許文献１参照。）。
【非特許文献１】新聞記事  ２００３年１１月６日発行の朝日新聞（朝刊）、２９面
【発明の開示】
【０００４】  しかし、従来の個別試験実施装置では同一試験問題を同一順序、かつ、同一タイミングで解答するため、解答を書き込むマークシート上の解答位置が容易に判断することができ、不正行為がおきやすい。また、試験官の合図により受験者が一斉に個別試験実施装置の再生ボタンを押して試験を開始するが、その合図に先立って再生ボタンを押して試験問題が知られてしまうといった不公平性が生じやすい。また、個別試験実施装置の電池残量がなくなると試験が中断し、残りの問題の解答ができなくなるという欠点も有している。
【０００５】  さらに、このようなリスニングテストでは、記録メディアを持ち出して試験会場の外で用意した個別試験実施装置以外で問題を再生して他者に聞かせて解答を得たり、受験する者が受験生本人であるか確認できないなど不正行為がおきやすい。また、マークシートに解答を記入する場合、マークシートを回収してから受験生の退出がおこなわれるため、試験終了まで時間がかかっていた。
【０００６】  本発明は、以上のような問題点を鑑みてなされたものであり、個別試験実施装置を用いた試験に関し、不正行為を防止することができ、電池残量による試験中断の影響がない個別試験実施装置および該個別試験実施装置を用いた試験方法を提供することを目的とする。また、試験終了後の答案の回収を迅速に行なえる個別試験実施装置および試験方法を提供することを目的とする。
【０００７】  上記課題を解決するために、本発明の請求項１に記載の個別試験実施装置は、試験問題を格納する問題格納手段と、前記問題格納手段により格納された試験問題を再生する再生手段と、上記試験問題の再生順序を指示する順序指示手段とを備えた、ことを特徴とするものである。
【０００８】  また、本発明の請求項２に記載の個別試験実施装置は、請求項１に記載の個別試験実施装置において、前記順序指示手段へ与える再生順序指示データを保持させる順序データ保持手段を備えた、ことを特徴とするものである。
【０００９】  また、本発明の請求項３に記載の個別試験実施装置は、請求項１に記載の個別試験実施装置において、当該個別試験実施装置の使用者が保有する個別の番号を入力する個別番号入力手段と、前記順序指示手段へ与える再生順序指示データを上記個別番号から生成する順序データ生成手段とを備えた、ことを特徴とするものである。
【００１０】  また、本発明の請求項４に記載の個別試験実施装置は、請求項１から請求項３のいずれかに記載の個別試験実施装置であって、前記順序指示手段へ動作指示を与える時刻指示手段と、前記時刻指示手段が作動する時刻データを保持する時刻データ保持手段とを備えた、ことを特徴とするものである。
【００１１】  また、本発明の請求項５に記載の個別試験実施装置は、請求項１から請求項４のいずれかに記載の個別試験実施装置であって、試験問題の再生に連動した解答入力手段と、前記解答手段によって生成された解答データを格納する解答格納手段とを備えた、ことを特徴とするものである。
【００１２】  また、本発明の請求項６に記載の個別試験実施装置は、請求項１から請求項５のいずれかに記載の個別試験実施装置であって、当該個別試験実施装置を作動させる電池の残量を監視する電池残量監視手段と、前記電池残量監視手段により電池残量が一定レベル以下になると試験問題の進行度情報を格納する進行度格納手段とを備えた、ことを特徴とするものである。
【００１３】  また、本発明の請求項７に記載の個別試験実施装置は、試験問題を格納する試験問題格納手段と、前記試験問題格納手段により格納された前記試験問題を再生する再生手段と、個人情報を格納する個人情報格納手段と前記個人情報格納手段により格納されている前記個人情報を読み出し、表示する表示手段と、を備えた、ことを特徴とするものである。
【００１４】  また、本発明の請求項８に記載の個別試験実施装置は、試験問題を格納する試験問題格納手段と、前記試験問題格納手段により格納された前記試験問題を再生する再生手段と、前記試験問題の再生に連動して解答を入力する解答入力手段と、前記入力された解答を格納する解答格納手段と、前記解答格納手段に格納された前記解答を無線で送信する無線通信手段と、を備えた、ことを特徴とするものである。
【００１５】  また、本発明の請求項９に記載の個別試験実施装置は、試験問題を格納する試験問題格納手段と、前記試験問題格納手段により格納された前記試験問題を再生する再生手段と、前記試験問題の再生に連動して解答を入力する解答入力手段と、前記解答入力手段から入力された前記解答を逐次無線で送信する無線通信手段と、を備えた、ことを特徴とするものである。
【００１６】  また、本発明の請求項１０に記載の個別試験実施装置は、個別試験実施装置ごとに異なる番号を格納する固有番号格納手段と、前記固有番号によって前記試験問題を暗号化して試験問題を格納する試験問題格納手段と、前記試験問題格納手段により格納された前記試験問題を読み出して復号化する復号化手段と、前記復号化して試験問題を再生する再生手段と、を備えた、ことを特徴とするものである。
【００１７】  また、本発明の請求項１１に記載の個別試験実施装置は、請求項１０記載の個別試験実施装置において、前記試験問題の再生に連動して解答を入力する解答入力手段と、前記入力された解答を保持する解答格納手段と、を備えた、ことを特徴とするものである。
【００１８】  また、本発明の請求項１２に記載の個別試験実施装置は、保護情報として試験問題を格納する試験問題格納手段と、前記試験問題格納手段により格納された前記試験問題を再生する再生手段と、前記試験問題格納手段と前記再生手段があらかじめ決められた組み合わせであることを確認する相互認証処理手段と、を備え、前記相互認証処理手段により相互認証が確認された場合に、前記再生手段による試験問題の再生が行われる、ことを特徴とするものである。
【００１９】  また、本発明の請求項１３に記載の個別試験実施装置は、請求項１２記載の個別試験実施装置において、前記試験問題格納手段と前記再生手段があらかじめ決められた組み合わせであることを確認した結果を表示する相互認証結果表示手段を備えた、ことを特徴とするものである。
【００２０】  また、本発明の請求項１４に記載の個別試験実施方法は、請求項１ないし１３のいずれかに記載の個別試験実施装置を用いた、ことを特徴とするものである。
【００２１】  本発明の請求項１に係る個別試験実施装置は、試験問題を格納する問題格納手段と、前記問題格納手段により格納された試験問題を再生する再生手段と、上記試験問題の再生順序を指示する順序指示手段とを備えたので、試験問題を一定の順序で再生することが可能となる効果がある。
【００２２】  また、本発明の請求項２に係る個別試験実施装置は、請求項１に記載の個別試験実施装置において、前記順序指示手段へ与える再生順序指示データを保持させる順序データ保持手段を備えたので、再生される試験問題の順序を入れ替えることが可能となる効果がある。
【００２３】  また、本発明の請求項３に係る個別試験実施装置は、請求項１に記載の個別試験実施装置において、当該個別試験実施装置の使用者が保有する個別の番号を入力する個別番号入力手段と、前記順序指示手段へ与える再生順序指示データを上記個別番号から生成する順序データ生成手段とを備えたので、上記個別番号を基準に試験問題が再生される個別番号入力型個別試験実施装置を提供することが可能となる効果がある。
【００２４】  また、本発明の請求項４に係る個別試験実施装置は、請求項１から請求項３のいずれかに記載の個別試験実施装置であって、前記順序指示手段へ動作指示を与える時刻指示手段と、前記時刻指示手段が作動する時刻データを保持する時刻データ保持手段とを備えたので、予定された時刻に試験問題が自動的に再生される、試験問題自動再生型個別試験実施装置を提供することができる効果がある。
【００２５】  また、本発明の請求項５に係る個別試験実施装置は、請求項１から請求項４のいずれかに記載の個別試験実施装置であって、試験問題の再生に連動した解答入力手段と、前記解答手段によって生成された解答データを格納する解答格納手段とを備えたので、試験問題に対する解答を直接入力する、解答入力型個別試験実施装置を提供することができる効果がある。
【００２６】  また、本発明の請求項６に係る個別試験実施装置は、請求項１から請求項５のいずれかに記載の個別試験実施装置であって、当該個別試験実施装置を作動させる電池の残量を監視する電池残量監視手段と、前記電池残量監視手段により電池残量が一定レベル以下になると試験問題の進行度情報を格納する進行度格納手段とを備えたので、電池の残量を監視する、電池残量監視型個別試験実施装置を提供することができる効果がある。
【００２７】  また、本発明の請求項７に係る個別試験実施装置は、試験問題を格納する試験問題格納手段と、前記試験問題格納手段により格納された前記試験問題を再生する再生手段と、個人情報を格納する個人情報格納手段と前記個人情報格納手段により格納されている前記個人情報を読み出し、表示する表示手段と、を備えたので、試験監督者は個別試験実施装置１０１が設置されている席に着座している者が受験者であるか否かの判定が容易になり、受験者の成り代わりによる不正行為を防ぐことができる効果がある。
【００２８】  また、本発明の請求項８に係る個別試験実施装置は、試験問題を格納する試験問題格納手段と、前記試験問題格納手段により格納された前記試験問題を再生する再生手段と、前記試験問題の再生に連動して解答を入力する解答入力手段と、前記入力された解答を格納する解答格納手段と、前記解答格納手段に格納された前記解答を無線で送信する無線通信手段と、を備えたので、無線通信によって解答を回収することで、試験終了までの時間を短縮することができる効果がある。
【００２９】  また、本発明の請求項９に係る個別試験実施装置は、試験問題を格納する試験問題格納手段と、前記試験問題格納手段により格納された前記試験問題を再生する再生手段と、前記試験問題の再生に連動して解答を入力する解答入力手段と、前記解答入力手段から入力された前記解答を逐次無線で送信する無線通信手段と、を備えたので、受験者それぞれにマークシートのような解答を格納する手段を提供する必要が無くなるとともに試験終了までの時間を短縮することができる効果がある。
【００３０】  また、本発明の請求項１０に係る個別試験実施装置は、個別試験実施装置ごとに異なる番号を格納する固有番号格納手段と、前記固有番号によって前記試験問題を暗号化して試験問題を格納する試験問題格納手段と、前記試験問題格納手段により格納された前記試験問題を読み出して復号化する復号化手段と、前記復号化して試験問題を再生する再生手段と、を備えたので、記録メディアを持ち出して他者に聞かせて解答を得るなどの不正行為を防止することができる効果がある。
【００３１】  また、本発明の請求項１１に係る個別試験実施装置は、請求項１０記載の個別試験実施装置において、前記試験問題の再生に連動して解答を入力する解答入力手段と、前記入力された解答を保持する解答格納手段と、を備えたので、記録メディアを持ち出して他者に聞かせて解答を得るなどの不正行為を防止することが可能となるとともに、解答を格納したメモリーカード自体は提出する必要が無いため、受験者が持ち帰ることで自己採点に利用することが可能となり、自己採点の精度の向上と受験校の選択までの時間短縮を図ることができる効果がある。
【００３２】  また、本発明の請求項１２に係る個別試験実施装置は、保護情報として試験問題を格納する試験問題格納手段と、前記試験問題格納手段により格納された前記試験問題を再生する再生手段と、前記試験問題格納手段と前記再生手段があらかじめ決められた組み合わせであることを確認する相互認証処理手段と、を備え、前記相互認証処理手段により相互認証が確認された場合に、前記再生手段による試験問題の再生が行なわれるようにしたので、試験問題格納手段を試験会場以外で再生しようとしても相互認証を確立することが困難であり、試験会場外での試験問題の再生が不可能となり、記録メディアを持ち出して他者に聞かせて解答を得るなどの不正行為を防止することができる効果がある。
【００３３】  また、本発明の請求項１３に係る個別試験実施装置は、請求項１２記載の個別試験実施装置において、前記試験問題格納手段と前記再生手段があらかじめ決められた組み合わせであることを確認した結果を表示する相互認証結果表示手段を備えたので、試験会場で試験問題の再生が行われなかった場合に、機器の故障か不正な組み合わせなのかを判別し、試験を迅速に開始することができる効果がある。
【００３４】  また、本発明の請求項１４に係る個別試験実施方法は、請求項１から請求項１３のいずれかに記載の個別試験実施装置を用いたので、不正行為を防止する効果、滞りなく試験を実施する効果、あるいは試験終了後の答案の回収を迅速に行なえる効果がある。
【図面の簡単な説明】
【００３５】
【図１】図１は、実施例１に係る個別試験実施装置のブロック図を示す。
【図２】図２は、実施例１に係る個別試験実施装置の順序データの１例を示す。
【図３】図３は、実施例１に係る個別試験実施装置の試験会場の座席位置と個別試験実施装置の配列例を示す。
【図４（ａ）】図４（ａ）は、実施例１に係る個別試験実施装置の上面部を示す。
【図４（ｂ）】図４（ｂ）は、実施例１に係る個別試験実施装置の背面部を示す。
【図４（ｃ）】図４（ｃ）は、実施例１に係る個別試験実施装置の背面部の電池ボックス蓋を外した状態を示す。
【図５】図５は、実施例２に係る個別試験実施装置のブロック図を示す。
【図６】図６は、実施例２に係る個別試験実施装置の上面部を示す。
【図７】図７は、実施例３に係る個別試験実施装置のブロック図を示す。
【図８】図８は、実施例４に係る個別試験実施装置のブロック図を示す。
【図９】図９は、実施例４に係る個別試験実施装置の上面部を示す。
【図１０】図１０は、実施例５に係る個別試験実施装置のブロック図を示す。
【図１１】図１１は、実施例６に係る個別試験実施装置のブロック図を示す。
【図１２】図１２は、実施例７に係る個別試験実施装置のブロック図を示す。
【図１３】図１３は、実施例８に係る個別試験実施装置のブロック図を示す。
【図１４】図１４は、実施例９に係る個別試験実施装置のブロック図を示す。
【図１５】図１５は、実施例１０に係る個別試験実施装置のブロック図を示す。
【図１６】図１６は、実施例１１に係る個別試験実施装置のブロック図を示す。
【図１７】図１７は、実施例１２に係る個別試験実施装置のブロック図を示す。
【符号の説明】
【００３６】  １１，１１ａ，１１ｂ，１１ｃ，１１ｄ  個別試験実施装置
１２  順序データ保持手段
１３  順序指示手段
１４  問題格納手段
１５  再生手段
１６，１６ａ  再生ボタン
１７  ヘッドホン
１８  メモリーカード
１９  表示装置
２０  音量設定ボタン
２０ａ  プラスボタン
２０ｂ  マイナスボタン
２１  電池ボックス蓋
２１ａ  電池ボックス
２２  モード設定スイッチ
２２ａ  プラスモード
２３  個別番号入力手段
２４  順序データ生成手段
２５  受験番号入力ボタン
２５ａ  入力ボタン
２５ｂ  決定ボタン
２５ｃ  消去ボタン
２５ｄ  数字ボタン
２６  時刻データ保持手段
２７  時刻指示手段
２８  解答入力手段
２９  解答格納手段
３０  解答入力ボタン
３０ａ  確定ボタン
３０ｂ  取消ボタン
３０ｃ  英字ボタン
３１  電池残量監視手段
３２  進行度格納手段
３３  警告ランプ
１０１，２０１，３０１，４０１，５０１，６０１，７０１  個別試験実施装置
１０２，６０２  試験問題格納手段
１０３，６０３  再生手段
１０４  個人情報格納手段
１０５  表示手段
１０６，７１３  表示装置
１０７  再生ボタン
１０８  ヘッドホン
２０４，３０４，５０８  解答入力手段
２０５，５０９  解答格納手段
２０６，３０５  無線通信手段
４０３  固有番号格納手段
４０４  復号手段
６０４  第１の鍵情報格納手段
６０５  第２の鍵情報格納手段
６０６  第１の相互認証処理手段
６０７  第２の相互認証処理手段
６０８  保護情報格納手段
６０９  通常情報格納手段
７１２  相互認証結果表示手段
【発明を実施するための最良の形態】
【００３７】  以下、本発明の各実施例を、図面を参照しながら説明する。
【実施例１】
【００３８】  先ず、本発明の実施例１に係る個別試験実施装置の構成について、図１及び図４の各図を参照して説明する。図１は、本発明の実施例１に係る個別試験実施装置のブロック図であり、図４（ａ）は、本発明の実施例１に係る個別試験実施装置の上面部であり、図４（ｂ）は、本発明の実施例１に係る個別試験実施装置の背面部であり、図４（ｃ）は、本発明の実施例１に係る個別試験実施装置の背面部の電池ボックス蓋を外した状態図である。【００３９】  図１において、１１は本発明の実施例１に係る個別試験実施装置であり、個別試験実施装置１１内に、順序データ保持手段１２と、順序指示手段１３と、問題格納手段１４と、再生手段１５とを備え、個別試験実施装置１１を構成する順序指示手段１３に再生ボタン１６が、再生手段１５にヘッドホン１７がそれぞれ接続されている。【００４０】  また、本発明の実施例１に係る個別試験実施装置１１のより詳細な構成は、図４（ａ）、図４（ｂ）、図４（ｃ）の各図に示すように、主として再生ボタン１６ａと、表示装置１９と、音量設定ボタン２０と、モード設定スイッチ２２とを備え、当該個別試験実施装置には、メモリーカード１８が挿着され、ヘッドホン１７が接続されている。【００４１】  問題格納手段１４は試験問題を格納するものであり、個別試験実施装置１１内に試験問題を格納する。順序データ保持手段１２は、試験問題の再生順序を示すデータ（以下、順序データという。）が保持される。順序指示手段１３は、問題格納手段１４に格納されている試験問題を読み出すものであり、上記順序データに従って試験問題を読み出す。再生手段１５は、問題格納手段１４に格納されている試験問題をヘッドホン１７に出力させる。【００４２】  メモリーカード１８は、試験問題が格納され、かつ、該試験問題の再生順序である順序データが保持される。すなわち、メモリーカード１８が、前記問題格納手段１４および前記順序データ保持手段１２に対応する。【００４３】  モード設定スイッチ２２は、メモリーカード１８に格納された何れの順序データを用いるかを設定するものであり、試験実施時の通常モードと、試験問題の順序を設定する順序設定モードとを備える。当該モード設定スイッチ２２をプラスモード２２ａにすると順序設定モードとなり、試験問題の順序を設定することができ、プラスモード２２ａに対するマイナスモードにすることで通常モードとなる。当該モード設定スイッチ２２は、電池ボックス２１ａ内に配置される。【００４４】  前記音量設定ボタン２０は、順序データを切り替えるものであり、プラスボタン２０ａとマイナスボタン２０ｂとを備え、前記モード設定スイッチ２２を順序設定モードとした後に、当該音量設定ボタン２０のプラスボタン２０ａを押すことにより順序データの設定番号が増加し、マイナスボタン２０ｂを押すことで順序データの設定番号が減少して試験問題の順序データを切り替える。該設定番号は表示装置１９に表示され、順序データの切り替え作業を容易にする。すなわち、モード設定スイッチ２２と音量設定ボタン２０とが、前記順序指示手段１３に対応する。【００４５】  再生ボタン１６ａは、試験問題を再生させるものであり、１回押すと試験問題が再生され、も��１回押すと停止状態となる。再生された試験問題はヘッドホン１７にて聞くことができる。すなわち、再生ボタン１６ａが、前記再生手段１５に対応する。【００４６】  上記のように構成された本発明の実施例１に係る個別試験実施装置１１の動作について、図２及び図４の各図を参照して説明する。図２は、本発明の実施例１に係る個別試験実施装置の順序データの１例を示す。【００４７】  試験の実施に先立ち、図２に示すように、第１問から第６問までの試験問題をメモリカード１８に格納するとともに、第１問から第６問までの問題を適切に並べた設定１から設定４までの４ケースを設定した順序データをメモリーカード１８に保持させる。【００４８】  試験問題が格納され、順序データが保持されたメモリーカード１８を、個別試験実施装置１１に挿着し、図４（ｂ）、図４（ｃ）の各図に示すように、ネジ２１ｂを緩めて電池ボックス蓋２１を外し、電池ボックス２１ａ内に配置されているモード設定スイッチ２２を順序設定モードとする。音量ボタン２０のプラスボタン２０ａもしくはマイナスボタン２０ｂのいずれかを押し、メモリーカード１８に記憶させた順序データを読み出し、表示装置１９に表示された順序データを確認しながら、試験問題の再生順序を設定する。試験問題の再生順序の設定終了後に、モード設定スイッチ２２を、通常モードに戻し、ネジ２１ｂを用いて電池ボックス蓋２１を電池ボックス２１ａに取付ける。電池ボックス蓋２１をネジ止めすることで、受験生が勝手に、試験問題の再生順序を変える行為を防止する。【００４９】  試験の実施時は、再生ボタン１６を１回押すと、順序指示手段１３が、メモリーカード１８に保持されている順序データを基準に、メモリーカードに格納されている試験問題データを読み出し、読み出された試験問題データは再生手段１５に送られて再生され、試験問題がヘッドホン１７から音声として出力される。さらにもう１回、再生ボタン１６を押すと停止状態となる。【００５０】  個別試験実施装置１１は、次に述べるようにして用いられる。図３は、本発明の実施例１に係る個別試験実施装置の試験会場の座席位置と個別試験実施装置の配列例であり、図２に示す試験問題および該試験問題の再生順序が設定された個別試験実施装置を、図３に示すように、各座席位置での試験問題の再生順序がその各座席位置の近隣周辺と異なるよう試験会場に配置する。これにより試験が実施できる状態となる。【００５１】  以上のように、本発明の実施例１に係る個別試験実施装置１１によれば、試験問題を格納する問題格納手段１４と、問題格納手段１４により格納された試験問題を再生する再生手段１５と、上記試験問題の再生順序を指示する順序指示手段１３と、順序指示手段１３へ与える再生順序指示データを保持させる順序データ保持手段１２とを備えたので、個別試験実施装置１１ごとに試験問題の再生順序を設定することが可能となり、受験者が、隣りの受験者が入力した解答を見るといった不正行為を防止することが可能となる。【００５２】  また、本発明の実施例１に係る個別試験実施装置１１を用いた試験方法により、公平な試験を実施することが可能となる。【００５３】  なお、本発明の実施例１では、個別試験実施装置１���の順序データ、及び試験問題の数量、並びに試験会場の座席位置は、各座席位置での試験問題の再生順序がその各座席位置の近隣周辺と異なればよく、順序データおよび試験問題の数量は図２に、座席位置は図３にそれぞれ限定されるものではない。【００５４】  また、個別試験実施装置１１のより詳細な構成は、試験問題を格納し、該試験問題を予め設定された再生順序で再生し、該再生順序を保持することができればよく、本発明の実施例１に限定されるものではない。
【実施例２】
【００５５】  本発明の実施例２に係る個別試験実施装置は、上述の実施例１に係る個別試験実施装置１１に、該個別試験実施装置の使用者が個別に保有する個別番号を入力し、該個別番号を基準に試験問題が再生される個別番号入力機能を付加した、個別番号入力型個別試験実施装置であり、上述の実施例１に係る個別試験実施装置１１と同じまたは同等の機能を有するものについては同符号を記し、詳細な説明は省略する。【００５６】  先ず、本発明の実施例２に係る個別試験実施装置の構成について、図５と図６の各図を参照して説明する。図５は、本発明の実施例２に係る個別試験実施装置のブロック図であり、図６は、本発明の実施例２に係る個別試験実施装置の上面部を示す図である。【００５７】  図５において、１１ａは本発明の実施例２に係る個別試験実施装置であり、個別試験実施装置１１ａ内に、個別番号入力生成手段２３と、順序データ生成手段２４と、順序指示手段１３と、問題格納手段１４と、再生手段１５とを備え、順序指示手段１３に再生ボタン１６が、再生手段１５にヘッドホン１７がそれぞれ接続されている。【００５８】  また、本発明の実施例２に係る個別試験実施装置１１ａのより詳細な構成は、図６に示すように、主として再生ボタン１６ａと、表示装置１９と、音量設定ボタン２０と、受験番号入力ボタン２５とを備え、当該個別試験実施装置１１ａには、メモリーカード１８が挿着され、ヘッドホン１７が接続されている。【００５９】  したがって、上述の実施例１に係る個別試験実施装置１１と異なる、個別番号入力手段２３と、順序データ生成手段２４と、受験番号入力ボタン２５とについて説明する。【００６０】  個別番号入力手段２３は、個別番号を入力するものであり、問題格納手段１４に格納されている何れの試験問題を読み出すかを設定する個別番号、例えば受験番号、を入力する。【００６１】  順序データ生成手段２４は、順序データを生成するものであり、個別番号入力手段２３にて入力された受験番号を基準に試験問題の再生順序を設定する順序データを生成する。【００６２】  受験番号入力ボタン２５は、入力ボタン２５ａと、決定ボタン２５ｂと、消去ボタン２５ｃと、０から９までの数字を入力する数字ボタン２５ｄとを備え、入力ボタン２５ａを押した後、数字ボタン２５ｄを押して受験番号を入力する。受験番号は表示装置１９に出力されるので入力した受験番号を目視にて確認することができる。受験番号を入力した後に、決定ボタン２５ｂを押すと受験番号が決定されて該受験番号に応じた試験問題の再生順序が設定される。消去ボタン２５ｃは、容易に受験番号の訂正が行なえるようにしたものであり、誤って入力した数字を消去することができる。すなわち、受験番号入力ボタン２５が、前記個別番号入力手段２３に対応する。【００６３】  上記のように構成された本発明の実施例２に係る個別試験実施装置１１ａの動作について説明する。試験の実施に先立ち、試験問題が格納されたメモリーカード１８を、上述の実施例１に係る個別試験装置１１と同様に、本発明の実施例２に係る個別試験実施装置１１ａに挿着する。試験の実施時は、受験番号が入力されると、該受験番号を基準に、順序データ生成手段２４が順序データを生成して試験問題の再生順序が決定し、試験問題を再生させる準備が完了する。そして、再生ボタン１６ａを押すと、試験問題がヘッドホン１７から出力される。再生ボタン１６ａをもう１回押すと停止状態となる。【００６４】  本発明の実施例２に係る個別試験実施装置１１ａは、次に述べるようにして用いられる。試験問題が設定された本実施例２に係る個別試験実施装置１１ａを、上述の実施例１に係る個別試験実施装置１１と同様に、試験会場に配置する。これにより試験が実施できる状態となる。【００６５】  以上のように、本発明の実施例２に係る個別試験実施装置１１ａによれば、試験問題を格納する問題格納手段１４と、問題格納手段１４により格納された試験問題を再生する再生手段１５と、上記試験問題の再生順序を指示する順序指示手段１３と、順序指示手段１３へ与える再生順序指示データを保持させる順序データ保持手段１２と、受験番号を入力する個別番号入力手段２３と、順序指示手段１３へ与える再生順序指示データを上記受験番号から生成する順序データ生成手段２４とを備えたので、試験問題の再生順序を受験番号ごとに設定することが可能となり、受験者が、隣りの受験者が入力した解答を見るといった不正行為を防止することが可能となる。【００６６】  また、本発明の実施例２に係る個別試験実施装置１１ａを用いた試験方法により、受験番号を基準に試験問題の再生順序が設定される試験を実施することが可能となる。【００６７】  なお、本発明の実施例２では、個別試験実施装置１１ａの順序データ、及び試験問題の数量、並びに試験会場の座席位置は、受験番号に応じて、各座席位置での試験問題の再生順序がその各座席位置の近隣周辺と異なればよく、順序データおよび試験問題の数量は図２に、座席位置は図３にそれぞれ限定されるものではない。【００６８】  また、本発明の実施例２に係る個別試験実施装置１１ａのより詳細な構成は、試験問題を格納し、該試験問題を、個別入力された受験番号を基準として予め設定された再生順序で再生し、該再生順序を保持することができればよく、本実施例２に限定されるものではない。
【実施例３】
【００６９】  本発明の実施例３に係る個別試験実施装置は、上述の実施例１に係る個別試験実施装置１１に、一定の時刻になると試験問題を自動的に再生する試験問題自動再生機能を付加した、試験問題自動再生型個別試験実施装置であり、上述の実施例１に係る個別試験実施装置１１と同じまたは同等の機能を有するものについては同符号を記し、詳細な説明は省略する。【００７０】  先ず、本発明の実施例３に係る個別試験実施装置１１ｂの構成について、図７を参照して説明する。図７は、本発明の実施例３に係る個別試験実施装置のブロック図である。【００７１】  図７において、１１ｂは本発明の実施例３に係る個別試験実施装置であり、個別試験実施装置１１ｂ内に、順序データ保持手段１２と、順序指示手段１３と、問題格納手段１４と、再生手段１５と、時刻データ保持手段２６と、時刻指示手段２７とを備え、再生手段１５にヘッドホン１７が接続されている。したがって、上述の実施例１に係る個別試験実施装置１１と異なる、時刻データ保持手段２６および時刻指示手段２７について説明する。【００７２】  時刻データ保持手段２６は、試験の開始時刻を設定し、該試験開始時刻を保持させるものである。時刻指示手段２７は、再生ボタンと同等の機能を有し、時刻データ保持手段２６に保持された試験開始時間を読出し、試験開始時間になると試験問題を自動的に再生させる。【００７３】  上記のように構成された本発明の実施例３に係る個別試験実施装置１１ｂの動作について説明する。試験の実施に先立ち、上述の実施例１に係る個別試験装置１１と同様に、試験問題が格納され、順序データが保持され、かつ、時刻データ保持手段２６により試験開始時刻が保持されたメモリーカード１８を本発明の実施例３に係る個別試験実施装置１１ｂに挿着する。試験の実施時は、時刻指示手段２７が、時刻データ保持手段２６に保持された試験開始時刻を読み出し、設定された試験開始時間になると、自動的に試験問題がヘッドホン１７から音声として出力される。【００７４】  本発明の実施例３に係る個別試験実施装置１１ｂは、次に述べるようにして用いられる。上述の実施例１に係る個別試験実施装置１１と同様に、試験問題と、該試験問題の再生順序と試験開始時刻とが設定された本実施例３に係る個別試験実施装置１１ｂを、図３に示すように、各座席位置での試験問題の再生順序がその各座席位置の近隣周辺と異なるよう試験会場に配置する。これにより試験が実施できる状態となる。【００７５】  以上のように、本発明の実施例３に係る個別試験実施装置１１ｂによれば、試験問題を格納する問題格納手段１４と、問題格納手段１４により格納された試験問題を再生する再生手段１５と、上記試験問題の再生順序を指示する順序指示手段１３と、順序指示手段１３へ与える再生順序指示データを保持させる順序データ保持手段１２と、前記順序指示手段１３へ動作指示を与える時刻指示手段２７と、時刻指示手段２７が作動する時刻データを保持する時刻データ保持手段２６とを備えたので、試験開始時刻になると一斉に試験を開始することが可能となる。【００７６】  また、本発明の実施例３に係る個別試験実施装置１１ｂを用いた試験方法により、試験問題の先聞きを防止する��とが可能となる。【００７７】  なお、本発明の実施例３では、個別試験実施装置１１ｂの順序データ、及び試験問題の数量、並びに試験会場の座席位置は、各座席位置での試験問題の再生順序がその座席位置の近隣周辺と異なればよく、順序データおよび試験問題の数量は図２に、座席位置は図３にそれぞれ限定されるものではない。【００７８】  また、本発明の実施例３に係る個別試験実施装置１１ｂのより詳細な構成は、試験問題を格納し、該試験問題を予め設定された試験開始時刻および再生順序を基準に再生し、該試験開始時刻および再生順序を保持することができればよく、本実施例３に限定されるものではない。【００７９】  また、本発明の実施例３に係る個別試験実施装置１１ｂは、上述の実施例２に係る個別試験実施装置１１ａが有する個別番号入力機能を組み込むこともでき、本実施例３に限定されるものではない。
【実施例４】
【００８０】  本発明の実施例４に係る個別試験実施装置は、上述の実施例１に係る個別試験実施装置１１に、該個別試験実施装置の使用者が、該個別試験実施装置から再生される試験問題に対する解答を、該個別試験実施装置に直接入力する解答入力機能を付加した、解答入力型個別試験実施装置であり、上述の実施例１に係る個別試験実施装置１１と同じまたは同等の機能を有するものについては同符号を記し、詳細な説明は省略する。【００８１】  先ず、本発明の実施例４に係る個別試験実施装置１１ｃの構成について、図８と図９の各図を参照して説明する。図８は、本発明の実施例４に係る個別試験実施装置のブロック図であり、図９は、本発明の実施例４に係る個別試験実施装置の上面部を示す図である。【００８２】  図８において、１１ｃは本発明の実施例４に係る個別試験実施装置であり、個別試験実施装置１１ｃ内に、順序データ保持手段１２と、順序指示手段１３と、問題格納手段１４と、再生手段１５と、解答入力手段２８と、解答格納手段２９とを備え、順序指示手段１３に再生ボタン１６が、再生手段１５にヘッドホン１７がそれぞれ接続されている。【００８３】  また、本発明の実施例４に係る個別試験実施装置１１ｃのより詳細な構成は、図９に示すように、主として再生ボタン１６と、表示装置１９と、音量設定ボタン２０と、解答入力ボタン３０とによって構成され、当該個別試験実施装置には、メモリーカード１８が挿着され、ヘッドホン１７が接続されている。【００８４】  したがって、上述の実施例１に係る個別試験実施装置１１と異なる、解答入力手段２８と、解答格納手段２９と、解答入力ボタン３０とについて説明する。
解答入力手段２８は、試験問題に対する解答を入力する機能を有する。【００８５】  解答格納手段２９は、解答入力手段２８で入力された試験問題の解答を格納させるものである。【００８６】  解答入力ボタン３０は、確定ボタン３０ａと、取消ボタン３０ｂと、ＡからＤまでの英字を入力する英字ボタン３０ｃとを備え、英字ボタン３０ｃを押して解答を入力する。解答は表示装置１９に表示されるので入力した解答を確認することができる。解答入力後、確定ボタン３０ａを押すと解答が決定する。取消ボタン３０ｂは、誤って入力した解答を消去し、容易に解答の訂正が行なえるようにしたものである。すなわち、解答入力ボタン３０は、前記解答入力手段２８に対応する。【００８７】  上記のように構成された本発明の実施例４に係る個別試験実施装置１１ｃの動作について説明する。試験の実施に先立ち、上述の実施例１に係る個別試験装置１１と同様に、試験問題が格納され、かつ、順序データが保持されたメモリーカード１８を本発明の実施例４に係る個別試験実施装置１１ｃに挿着する。試験の実施時は、再生ボタン１６を１回押すと、試験問題がヘッドホン１７から出力される。もう１回、再生ボタン１６を押すと停止状態となる。試験問題の再生と並行して、該試験問題に対する解答を、解答入力手段２８、すなわち解答入力ボタン３０により本発明の実施例４に係る個別試験実施装置１１ｃに入力する。そして、入力された解答は解答格納手段２９、すなわちメモリーカード１８に格納される。【００８８】  本発明の実施例４に係る個別試験実施装置１１ｃは、次に述べるようにして用いられる。上述の実施例１に係る個別試験実施装置１１と同様に、試験問題と、該試験問題の再生順序とが設定された本実施例４に係る個別試験実施装置１１ｃを、図３に示すように、各座席位置での試験問題の再生順序がその各座席位置の近隣周辺と異なるよう試験会場に配置する。これにより試験が実施できる状態となる。【００８９】  以上のように、本発明の実施例４に係る個別試験実施装置１１ｃによれば、試験問題を格納する問題格納手段１４と、問題格納手段１４により格納された試験問題を再生する再生手段１５と、試験問題の再生順序を指示する順序指示手段１３と、順序指示手段１３へ与える再生順序指示データを保持させる順序データ保持手段１２と、試験問題の再生に連動して動作する解答入力手段２８と、解答入力手段２８によって生成された解答データを格納する解答格納手段２９とを備えたので、試験問題の再生が、隣りの装置での試験問題の再生の順序と異なる順序で行なわれることにより、試験実施中に受験者が、隣りの受験者が入力した解答を見るといった不正行為を防ぐことが可能となる。【００９０】  また、本発明の実施例４に係る個別試験実施装置１１ｃを用いた試験方法により、解答用紙を用いないで試験を実施することが可能となる。【００９１】  なお、本発明の実施例４では、個別試験実施装置１１ｃの順序データ、及び試験問題の数量、並びに試験会場の座席位置は、各座席位置での試験問題の再生順序がその座席位置の近隣周辺と異なればよく、順序データおよび試験問題の数量は図２に、座席位置は図３にそれぞれ限定されるものではない。【００９２】  ��た、本発明の実施例４に係る個別試験実施装置１１ｃのより詳細な構成は、試験問題を格納し、該試験問題を再生する順序を保持し、該再生順序を基準に試験問題が再生され、その再生された試験問題に対する解答を入力し、その入力された解答を保持することができればよく、本実施例４に限定されるものではない。【００９３】  また、本発明の実施例４に係る個別試験実施装置１１ｃは、上述の実施例２に係る個別試験実施装置１１ａが有する個別番号入力機能、もしくは、上述の実施例３に係る個別試験実施装置１１ｂが有する試験問題自動再生機能の組み込み、又はそれらを組み合わせて組み込むこともでき、本実施例４に限定されるものではない。
【実施例５】
【００９４】  本発明の実施例５に係る個別試験実施装置は、上述の実施例１に係る個別試験実施装置１１に電池の残量が監視できる電池残量監視機能を付加した、電池残量監視型個別試験実施装置であり、上述の実施例１に係る個別試験実施装置１１と同じまたは同等の機能を有するものについては同符号を記し、詳細な説明は省略する。【００９５】  先ず、本発明の実施例５に係る個別試験実施装置１１ｄの構成について、図１０を参照して説明する。図１０は、本発明の実施例５に係る個別試験実施装置１１ｄのブロック図である。図１０において、１１ｄは本発明の実施例５に係る個別試験実施装置であり、個別試験実施装置１１ｄ内に、順序データ保持手段１２と、順序指示手段１３と、問題格納手段１４と、再生手段１５と、電池残量監視手段３１と、進行度格納手段３２とを備え、順序指示手段１３に再生ボタン１６が、再生手段１５にヘッドホン１７が、電池残量監視手段３１に警告ランプ３３がそれぞれ接続されている。したがって、上述の実施例１と異なる、電池残量監視手段３１および進行度格納手段３２について説明する。【００９６】  電池残量監視手段３１は、電池の残量を監視するものであり、当該実施例５に係る個別試験実施装置１１ｄを継続して使用困難な電池残量である時、警告ランプ３３を点灯させる。【００９７】  進行度格納手段３２は、解答された試験問題の解答位置を格納するものであり、電池残量監視手段３１が試験問題の継続が困難な電池残量であると判断した時、その時点での試験問題解答位置を当該進行度格納手段３２に格納し、試験問題の進行を停止させる。【００９８】  上記のように構成された本発明の実施例５に係る個別試験実施装置１１ｄの動作について説明する。試験の実施に先立ち、上述の実施例１に係る個別試験装置１１と同様に、試験問題が格納され、かつ、順序データが保持されたメモリーカード１８を本実施例５に係る個別試験実施装置１１ｄに挿着する。試験の実施時は、再生ボタン１６を押すと、試験問題データが再生されて試験問題がヘッドホン１７から出力される。試験問題の再生と同時に、電池残量監視手段３１は電池残量の監視を始め、電池の残量が試験を継続して解答するのが困難と判断した時、入力された試験問題解答位置を進行度格納手段３２、すなわちメモリーカード１８、に格納した後、警告ランプ３３を点灯させて試験を一時的に中止させる。【００９９】  本発明の実施例５に係る個別試験実施装置１１ｄは、次に述べるようにして用いられる。上述の実施例１に係る個別試験実施装置１１と同様に、試験問題と、該試験問題の再生順序とが設定された本実施例５に係る個別試験実施装置１１ｄを、図３に示すように、各座席位置での試験問題の再生順序がその各座席位置の近隣周辺と異なるよう試験会場に配置する。これにより試験が実施できる状態となる。試験の実施時は、試験問題の再生と同時に電池残量監視手段３１が作動し、警告ランプ３３が点灯した場合、試験官は、警告ランプ３３が点灯している座席位置の受験生を別室に連れて行き、電池の交換後、進行度格納手段３２に格納された試験問題解答位置から試験を継続させる。【０１００】  以上のように、本発明の実施例５に係る個別試験実施装置１１ｄ���よれば、試験問題を格納する問題格納手段１４と、問題格納手段１４により格納された試験問題を再生する再生手段１５と、上記試験問題の再生順序を指示する順序指示手段１３と、順序指示手段１３へ与える再生順序指示データを保持させる順序データ保持手段１２と、電池の残量を監視する電池残量監視手段３１と、電池残量が一定レベル以下になると試験問題の進行度情報を格納する進行度格納手段３２とを備えたので、電池残量が一定レベル以下になったときには試験を一旦中断し、再開後には中断した位置から試験の続行を行なうことが可能となる。【０１０１】  また、本発明の実施例５に係る個別試験実施装置１１ｄを用いた試験方法により、試験の実施に先立って電池の残量を監視することが可能となる。【０１０２】  なお、本発明の実施例５では、個別試験実施装置１１ｄの順序データ、及び試験問題の数量、並びに試験会場の座席位置は、各座席位置での試験問題の再生順序がその各座席位置の近隣周辺と異なればよく、順序データおよび試験問題の数量は図２に、座席位置は図３にそれぞれ限定されるものではない。【０１０３】  また、本発明の実施例５に係る個別試験実施装置１１ｄのより詳細な構成は、試験問題を格納し、該試験問題の順序データを保持し、該順序データを基準に試験問題が再生され、その試験問題の再生と並行して電池の残量を監視し、その監視結果により試験進行情報を格納して試験を一時的に中断することができればよく、本実施例５に限定されるものではない。【０１０４】  また、本発明の実施例５に係る個別試験実施装置１１ｄは、上述の実施例２に係る個別試験実施装置１１ａが有する個別番号入力機能、もしくは、上述の実施例３に係る個別試験実施装置１１ｂが有する試験問題自動再生機能、もしくは、上述の実施例４に係る個別試験実施装置１１ｃが有する解答入力機能の組み込み、又はそれらを組み合わせて組み込むこともでき、本実施例５に限定されるものではない。
【実施例６】
【０１０５】  図１１は、本発明の実施例６に係る個別試験実施装置の構成を示す図である。図１１において、１０１は本発明の実施例６に係る個別試験実施装置であり、個別試験実施装置１０１内に、試験問題を格納する試験問題格納手段１０２、試験問題格納手段１０２に格納されている試験問題をヘッドホン１０８に出力する再生手段１０３、個人情報を格納する個人情報格納手段１０４、個人情報格納手段１０４に格納されている個人情報を表示装置１０６に表示する表示手段１０５、試験問題の再生の開始を始める信号を生成するための再生ボタン１０７とを備える。また、１０８は再生手段１０３と接続されたヘッドホンである。【０１０６】  上記のように構成された本発明の実施例６に係る個別試験実施装置１０１を用いた試験方法について、以下その動作を説明する。【０１０７】  個別試験実施装置１０１の再生ボタン１０７が押されると、試験問題格納手段１０２に格納されている試験問題データが読み出される。読み出された試験問題データは再生手段１０３に送られ、ヘッドホン１０８に音声として出力される。また、再生ボタン１０７が押されると試験問題データの読み出しとともに個人情報格納手段１０４に格納されている顔写真や受験番号などの個人情報が読み出され、表示手段１０５によって表示装置１０６に個人情報が表示される。【０１０８】  個別試験実施装置１０１は半導体プレーヤー、試験問題格納手段１０２はメモリーカード、表示装置１０６には液晶画面を用いることで容易に実現することが可能である。【０１０９】  以上のように、本発明の実施例６に係る個別試験実施装置によれば、個人情報格納手段１０４、表示手段１０５、および表示装置１０６を備えたので、試験監督者は個別試験実施装置１０１が設置されている席に着座している者が受験者であるか否かの判定を容易に行なうことが可能となり、受験者の成り代わりによる不正行為を防ぐことができる。【０１１０】  なお、本発明の実施例６では、個別試験実施装置１０１として半導体プレーヤーの例を示したが、これだけに限定すべきものではなくラジカセや半導体プレーヤー以外の携帯型音楽プレーヤーなどの音声を再生できる装置であればよいことは言うまでもない。【０１１１】  また、試験問題格納手段１０２としてメモリーカードの例を示したが、これだけに限定すべきものではなくハードディスクやミニディスクなどの記録できるメディアであればよいことは言うまでもない。【０１１２】  また、表示装置１０６として液晶画面の例を示したが、これだけに限定すべきものではなく有機ＥＬディスプレイやＰＤＰ（Ｐｌａｓｍａ  Ｄｉｓｐｌａｙ  Ｐａｎｅｌ）などの表示できる装置であればよいことは言うまでもない。
【実施例７】
【０１１３】  図１２は、本発明の実施例７に係る個別試験実施装置の構成を示す図である。図１２において、２０１は本発明の実施例７に係る個別試験実施装置であり、図１１と同一符号は同一または相当部分を示し、２０４は後述する解答格納手段に被試験者の指定した解答を入力するための解答入力手段、２０５は無線通信手段２０６を内蔵した解答格納手段である。【０１１４】  上記のように構成された本発明の実施例７に係る個別試験実施装置２０１を用いた試験方法について、以下その動作を説明する。【０１１５】  個別試験実施装置２０１の再生ボタン１０７が押されると、試験問題格納手段１０２に格納されている試験問題データが読み出される。読み出された試験問題データは再生手段１０３に送られ、ヘッドホン１０８に音声として出力される。さらに、試験問題の解答は、マークシートなどの答案用紙に記入するのではなく、解答入力手段２０４で解答を電気信号的に入力し、解答格納手段２０５に格納する。そして、試験終了後の解答の回収には、無線通信手段２０６により解答格納手段２０５に格納された解答を図示しない中央処理装置などに対して送信することで行なう。【０１１６】  前記個別試験実施装置２０１として半導体プレーヤー、試験問題格納手段１０２、解答格納手段２０５および無線通信手段２０６にはＩＣカードを用いることで容易にシステムを実現することが可能である。この場合、例えば、試験会場の出入り口にＩＣカードリーダーを設置しておき、被試験者が会場退出時に解答を格納したＩＣカードをＩＣカードリーダーにかざすだけで解答の回収が可能となる。【０１１７】  以上のように、本発明の実施例７に係る個別試験実施装置によれば、マークシート上に解答を記入せずに個別試験実施装置２０１自身に解答を格納していき、無線通信によって解答を回収するようにしたので、試験終了までの時間を短縮することができる。【０１１８】  なお、本発明の実施例７では、解答格納手段２０５、および無線通信手段２０６としてＩＣカードを例として示したが、これらを実現する機器はＩＣカードに限定したものではなく、データの記録機能と無線通信機能を有するものであればよいことは言うまでもない。【０１１９】  また、前記個別試験実施装置２０１として半導体プレーヤーを例として示したが、これを実現する機器は、これに限定すべきものではなく、ラジカセや半導体プレーヤー以外の、例えば、携帯型音楽プレーヤーなどの音声を再生できる装置であればよいことは言うまでもない。
【実施例８】
【０１２０】  上記実施例７は、解答を個別試験実施装置に記録し、これを無線通信によって回収することで、試験終了までの時間を短縮することができるものであったが、このように構成された機器で行われる個別試験では、解答格納手段を該解答格納手段に格納された解答を読み取る装置の近くに持っていく必要があった。【０１２１】  本発明の実施例８に係る個別試験実施装置は、このような点を改良したことを特徴とするものである。以下、図１３を参照して説明する。【０１２２】  図１３は、本発明の実施例８に係る個別試験実施装置の構成を示す図である。図１３において、３０１は本発明の実施例８に係る個別試験実施装置であり、図１１と同一符号は同一または相当部分を示し、３０４は無線通信手段３０５を含む解答入力手段である。【０１２３】  上記のように構成された本発明の実施例８に係る個別試験実施装置３０１を用いた試験方法について、以下その動作を説明する。【０１２４】  個別試験実施装置３０１の再生ボタン１０７が押されると、試験問題格納手段１０２に格納されている試験問題データが読み出される。読み出された試験問題データは再生手段１０３に送られ、ヘッドホン１０８に音声として出力される。さらに、試験問題の解答は、マークシートに記入するのではなく、解答入力手段３０４で解答を入力し、入力された解答は無線通信手段３０５によって集計装置（図示せず）に送信され、解答の回収は随時行われる。【０１２５】  個別試験実施装置３０１として半導体プレーヤー、試験問題格納手段１０２にはメモリーカード、無線通信手段３０５にはＢｌｕｅｔｏｏｔｈトランシーバを用い、試験会場内に各半導体プレーヤーから送信される解答を受信する装置を設置することで容易にシステムを実現することが可能となる。【０１２６】  以上のように、本発明の実施例８に係る個別試験実施装置によれば、個別試験実施装置３０１に解答入力手段３０４により解答を入力していき、無線通信手段３０５によって逐次無線通信を行い、解答を送信し、これを回収できる構成とすることで、受験者それぞれにマークシートのような解答を格納する手段を、あるいはメモリカードのような解答を格納する手段を提供する必要が無くなるとともに、試験終了までの時間を短縮することができる。【０１２７】  なお、本発明の実施例８では、前記無線通信手段３０５としてＢｌｕｅｔｏｏｔｈトランシーバを用いた例を示したが、無線通信手段３０５はこれに限定されるものではなく、例えば、ＨｏｍｅＲＦ（Ｈｏｍｅ  Ｒａｄｉｏ  Ｆｒｅｑｕｅｎｃｙ）や無線ＬＡＮなどの無線通信機能を有するものであればよいことは言うまでもない。【０１２８】  また、個別試験実施装置３０１として半導体プレーヤーを例として示したが、ラジカセや半導体プレーヤー以外にも、携帯型音楽プレーヤーなどの音声を再生できる装置であればよいことは言うまでもない。
【実施例９】
【０１２９】  図１４は本発明の実施例９に係る個別試験実施装置の構成を示す図である。図１４において、４０１は本発明の実施例９に係る個別試験実施装置であり、図１１と同一符号は同一または相当部分を示し、４０３は個別試験実施装置４０１ごとに異なる固有番号を格納する固有番号格納手段、４０４は固有番号格納手段４０３に格納されている固有番号を使って復号する復号手段である。【０１３０】  上記のように構成された本発明の実施例９に係る個別試験実施装置４０１を用いた試験方法について、以下その動作を説明する。【０１３１】  まず、はじめに試験問題格納手段１０２に固有番号格納手段４０３に格納されている固有番号を使って暗号化された試験問題データを格納しておく。試験実施時には、個別試験実施装置４０１の再生ボタン１０７が押されると、試験問題格納手段１０２に格納されている暗号化された試験問題データが読み出される。復号手段４０４は固有番号格納手段４０３から固有番号を取得し、暗号化された試験問題データの復号を行った後、再生手段１０３に送られ、ヘッドホン１０８に音声として出力される。【０１３２】  個別試験実施装置４０１として半導体プレーヤー、試験問題格納手段１０２にはメモリーカード、固有番号格納手段４０３に格納されている固有番号に半導体プレーヤー１台ごとに異なるシリアルナンバーを用いることによって、容易にシステムを実現することが可能である。この場合、メモリーカードに格納されている試験問題の暗号化に使われたシリアルナンバーと、半導体プレーヤーのシリアルナンバーとが一致した場合、受験者には正常に試験問題を聞くことが可能となるが、一致しなかった場合、暗号化された試験問題が正しく復号されないことになり、ヘッドホンから聞こえる音は意味をなさない音となる。【０１３３】  以上のように、本発明の実施例９に係る個別試験実施装置によれば、試験問題格納手段１０２に格納された試験問題を別の個別試験実施装置で再生しようとしても、試験問題の暗号化に使われた固有番号と一致しないため試験問題を聞き取ることが不可能となり、記録メディアを持ち出して他者に聞かせて解答を得るなどの不正行為を防止することが可能となる。【０１３４】  なお、本発明の実施例９では、固有番号格納手段４０３に格納される固有番号にシリアルナンバーを例に挙げて説明したが、この固有番号はシリアルナンバーに限定したものではなく、個々の個別試験実施装置４０１が限定できるものであればよいことは言うまでもない。【０１３５】  また、個別試験実施装置４０１として半導体プレーヤーを用いる例を示したが、これを実現する機器はこれに限定すべきものではなく、ラジカセや半導体プレーヤー以外の、例えば、携帯型音楽プレーヤーなどの音声を再生できる装置であればよいことは言うまでもない。【０１３６】  また、試験問題格納手段１０２としてメモリーカードを用いる例を示したが、試験問題格納手段１０２は、これだけに限定されるものではなく、例えば、ハードディスクやミニディスクなどの記録できる他のメディアであればよいことは言うまでもない。
【実施例１０】
【０１３７】  図１５は本発明の実施例１０に係る個別試験実施装置の構成を示す図である。図１５において、５０１は本発明の実施例１０に係る個別試験実施装置であり、図１４と同一符号は同一または相当部分を示し、５０８は解答入力手段、５０９は解答格納手段である。【０１３８】  上記のように構成された本発明の実施例１０に係る個別試験実施装置５０１を用いた試験方法について、以下その動作を説明する。【０１３９】  まず、はじめに試験問題格納手段１０２に固有番号格納手段４０３に格納されている固有番号を使って暗号化された試験問題データを格納しておく。試験実施時には、個別試験実施装置５０１の再生ボタン１０７が押されると、試験問題格納手段１０２に格納されている暗号化された試験問題データが読み出される。復号手段４０４は固有番号格納手段４０３から固有番号を取得し、暗号化された試験問題データの復号を行った後、再生手段１０３に送られ、ヘッドホン１０８に音声として出力される。さらに試験問題の解答は、マークシートに記入するのではなく、解答入力手段５０８で解答を入力し、解答格納手段５０９に格納する。【０１４０】  個別試験実施装置５０１として半導体プレーヤー、試験問題格納手段１０２と解答格納手段５０９にはメモリーカードを用い、また、固有番号格納手段４０３に格納されている固有番号に半導体プレーヤー１台ごとに異なるシリアルナンバーを用いることによって容易にシステムを実現することが可能である。この場合、メモリーカードに格納されている試験問題の暗号化に使われたシリアルナンバーと、半導体プレーヤーのシリアルナンバーとが一致した場合、受験者には正常に試験問題を聞くことが可能となるが、一致しなかった場合、暗号化された試験問題が正しく復号されないことになり、ヘッドホンから聞こえる音は意味をなさない音となる。試験終了後、メモリーカードをカードリーダーに通して解答を回収し、メモリーカードは受験者が持ち帰るようにする。【０１４１】  以上のように、本発明の実施例１０に係る個別試験実施装置によれば、試験問題格納手段１０２を試験会場以外で再生しようとしても暗号化に使われた個別試験実施装置５０１の固有番号が一致しないため不可能となり、記録メディアを持ち出して他者に聞かせて解答を得るなどの不正行為を防止することが可能となるとともに、メモリーカードに格納した解答をカードリーダーで回収することで、解答を格納したメモリーカード自体は提出する必要が無くなり、受験者が持ち帰ることで自己採点に利用することが可能となる。したがって、自己採点の精度を大きく向上することができるとともに、受験校の選択までの時間等をも大きく短縮することができる。【０１４２】  なお、本発明の実施例１０では、個別試験実施装置５０１として半導体プレーヤーを例に挙げて示したが、個別試験実施装置を実現するための機器はこれに限定されるものではなくラジカセや半導体プレーヤー以外の、例えば、携帯型音楽プレーヤーなどの音声を再生できる装置であればよいことは言うまでもない。【０１４３】  また、試験問題格納手段１０２と解答格納手段５０９として、メモリーカードを用いる例を示したが、例えば、ハードディスクやミニディスクなどの���録できるメディアを用いて実現するようにしてもよいことは言うまでもない。
【実施例１１】
【０１４４】  図１６は、本発明の実施例１１に係る個別試験実施装置の構成を示す図である。図１６において、６０１は本発明の実施例１１に係る個別試験実施装置であり、図１１と同一符号は同一または相当部分を示し、６０２は試験問題格納手段、６０３は再生手段である。【０１４５】  また、上記試験問題格納手段６０２において、６０４は鍵情報を格納する第１の鍵情報格納手段、６０６は相互認証を行なう第１の相互認証処理手段、６０８は相互認証確立後に読み出し・書き込みが行なえる保護情報格納手段、６０９は相互認証確立に関係なく読み出し・書き込みが行なえる通常情報格納手段である。【０１４６】  また、再生手段６０３において、６０５は鍵情報を格納する再生手段内の第２の鍵情報格納手段、６０７は相互認証を行なう第２の相互認証処理手段である。【０１４７】  上記のように構成された本発明の実施例１１に係る個別試験実施装置６０１を用いた試験方法について、以下その動作を説明する。【０１４８】  はじめに試験問題格納手段６０２内の保護情報格納手段６０８に試験問題を格納する。試験実施時には、個別試験実施装置６０１の再生ボタン１０７が押されると、試験問題格納手段６０２の第１の鍵情報格納手段６０４と再生手段６０３の第２の鍵情報格納手段６０５から双方に共通の鍵を選択する。【０１４９】  試験問題格納手段６０２の第１の相互認証処理手段６０６と再生手段６０３の第２の相互認証処理手段６０７でそれぞれの鍵情報格納手段から選ばれた鍵を用いて演算を行なう。演算終了後、試験問題格納手段６０２内で演算された結果を再生手段６０３に渡し、再生手段６０３内で演算された結果を試験問題格納手段６０２にそれぞれ渡す。【０１５０】  試験問題格納手段６０２と再生手段６０３は、自身で演算した結果と相手が演算した結果とを比較し一致していた場合、相互認証が確立する。そして相互認証確立後、再生手段６０３は試験問題格納手段６０２内の保護情報格納手段６０８から試験問題を読み出し、ヘッドホン１０８に音声として出力される。【０１５１】  個別試験実施装置６０１に著作権保護対応半導体プレーヤーを用い、試験問題格納手段６０２に著作権保護対応メモリーカードを用いることで容易にシステムを実現することが可能である。【０１５２】  再生ボタン１０７を押すと著作権保護対応メモリーカードで実現された試験問題格納手段６０２と著作権保護対応半導体プレーヤーで実現された個別試験実施装置６０１との間で相互認証処理が行われ、ヘッドホン１０８から音声として出力される。ＳＤメモリーカードのような著作権保護対応メモリーカードには著作権保護のため、相互認証のようなメディアとホストが正当な組み合わせであることを確認するための手段が備わっている。市販されている半導体プレーヤーでの再生を防ぐため、著作権保護の必要な音楽再生に使われている鍵とは別の試験専用の鍵を、著作権保護対応メモリーカードと著作権保護対応半導体プレーヤーに用意することで、試験問題を格納した著作権保護対応メモリーカードと著作権保護対応半導体プレーヤーの組み合わせを限定することが可能となる。【０１５３】  以上のように、本発明の実施例１１に係る個別試験実施装置によれば、試験問題格���手段６０２と再生手段６０３にそれぞれ鍵情報格納手段（６０４，６０３）を備えたものとし、双方において鍵情報を用いて演算した結果を照合したのち、保護情報格納手段６０８内に格納されている試験問題の再生を許可するようにしたので、試験問題格納手段６０２を試験会場以外で再生しようとしても相互認証を確立することが困難であり、試験会場外での試験問題の再生が不可能となり、記録メディアを持ち出して他者に聞かせて解答を得るなどの不正行為を防止することが可能となる。【０１５４】  なお、本発明の実施例１１では、個別試験実施装置６０１に著作権保護対応半導体プレーヤーを用い、試験問題格納手段６０２は著作権保護対応メモリーカードを用いる例を示したが、これらの個別試験実施装置と試験問題格納手段に限定したものではなく、個別試験実施装置６０１が特定できるものであれば、他の機器でよいことは言うまでもない。【０１５５】  また、保護情報格納手段６０８に試験問題データを格納するようにしたが、上記実施例９で示したように、固有番号と復号手段を持ち、試験問題データを固有番号で暗号化を行い、この暗号化された試験問題データを通常情報格納手段６０９に格納し、固有番号を保護情報格納手段６０８に格納する構成とすることによっても同様の効果が得られる。試験実施時には相互認証確立後、固有番号を取得し固有番号と復号手段によって、暗号化された試験問題を復号して再生手段からヘッドホンに音声として出力される。
【実施例１２】
【０１５６】  上記実施例１１では、試験問題格納手段と再生手段にそれぞれ鍵情報格納手段を備えたものとし、これらの間で相互認証を行なった後、試験問題の再生を許可するようにしているため、会場外に記録メディアを持ち出しても試験問題の再生を不能とすることができるものであったが、このように構成された機器を用いて個別試験を実施した際、個別試験実施装置による試験問題の再生が行われなかった場合、相互認証の不成立か機器の故障かが判別できないため、個別試験の実施に大きな遅延が発生しかねないという問題がある。【０１５７】  そこで、以上のような不具合の対策として、以下、本発明の実施例１２について図１７を参照して説明する。【０１５８】  図１７は、本発明の実施例１２に係る個別試験実施装置の構成を示す図である。図１７において、図１６と同一符号は同一または相当部分を示し、７０１は個別試験実施装置であり、７１２は表示装置７１３に相互認証結果を表示する相互認証結果表示手段である。【０１５９】  上記のように構成された本発明の実施例１２に係る個別試験実施装置７０１を用いた試験方法について、以下その動作を説明する。【０１６０】  はじめに試験問題格納手段６０２内の保護情報格納手段６０８に試験問題を格納する。試験実施時には、個別試験実施装置６０１の再生ボタン１０７が押されると、試験問題格納手段６０２の第１の鍵情報格納手段６０４と再生手段６０３の第２の鍵情報格納手段６０５から、双方に共通の鍵を選択する。【０１６１】  試験問題格納手段６０２の第１の相互認証処理手段６０６と、再生手段６０３の第２の相互認証処理手段６０７で、それぞれの鍵情報格納手段（６０４，６０５）から選ばれた鍵を用いて演算を行なう。【０１６２】  演算終了後、試験問題格納手段６０２内で演算された結果を再生手段６０３に、再生手段６０３内で演算された結果を試験問題格納手段６０２にそれぞれ渡す。試験問題格納手段６０２と再生手段６０３とは、自身で演算した結果と相手が演算した結果とを比較する。ここで、結果が一致していた場合、相互認証が確立し、再生手段６０３は試験問題格納手段６０２内の保護情報格納手段６０８から試験問題が読み出されヘッドホン１０８に音声として出力されるが、一致しなかった場合は、試験問題の再生は行われない。しかし、このままでは試験問題の再生が行われなかった要因が相互認証の不成立か機器の故障か分からないため、相互認証結果表示手段７１２によって相互認証の結果を表示装置７１３に表示する。【０１６３】  個別試験実施装置７０１として、著作権保護対応半導体プレーヤーを用い、試験問題格納手段６０２として著作権保護対応メモリーカードを用い、さらに、表示装置７１３に液晶画面を用いることで容易にシステムを実現することができる。【０１６４】  以上のように、本発明の実施例１２に係る個別試験実施装置によれば、試験問題格納手段と再生手段との間で相互認証処理を行なう構成の個別試験実施装置において、試験会場で試験問題の再生が行われなかった場合に、機器の故障か不正な組み合わせなのかを判別し、試験を迅速に開始することが可能となる。【０１６５】  なお、本発明の実施例１２では、個別試験実施装置７０１に著作権保護対���半導体プレーヤーを用い、試験問題格納手段６０２は著作権保護対応メモリーカードを用いる例を示したが、これら機器に限定したものではなく、個別試験実施装置７０１を特定できるものであればよいことは言うまでもない。【０１６６】  また、表示装置７１３として液晶画面を用いた例を示したが、有機ＥＬディスプレイやＰＤＰなどの、表示できる装置であればよいことは言うまでもない。
【産業上の利用可能性】
【０１６７】  本発明に係る個別試験実施装置は、試験問題を格納する問題格納手段と、前記問題格納手段により格納された試験問題を再生する再生手段と、上記試験問題の再生順序を指示する順序指示手段とを備え、前記順序指示手段へ与える再生順序指示データを保持させる順序データ保持手段を備え、個別試験実施装置１１ごとに試験問題の再生順序を設定することを可能としたので、情報記録再生機能を有し、試験問題の再生等に有用である。また、試験をペーパレスとすることができ、環境を配慮した個別試験実施装置として有用である。
【図１】
2005091248.tif 000002
【図２】
2005091248.tif 000003
【図３】
2005091248.tif 000004
【図４（ａ）】
2005091248.tif 000005
【図４（ｂ）】
2005091248.tif 000006
【図４（ｃ）】
2005091248.tif 000007
【図５】
2005091248.tif 000008
【図６】
2005091248.tif 000009
【図７】
2005091248.tif 000010
【図８】
2005091248.tif 000011
【図９】
2005091248.tif 000012
【図１０】
2005091248.tif 000013
【図１１】
2005091248.tif 000014
【図１２】
2005091248.tif 000015
【図１３】
2005091248.tif 000016
【図１４】
2005091248.tif 000017
【図１５】
2005091248.tif 000018
【図１６】
2005091248.tif 000019
【図１７】
2005091248.tif 000020
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
試験問題を格納する問題格納手段と、
前記問題格納手段により格納された試験問題を再生する再生手段と、
上記試験問題の再生順序を指示する順序指示手段とを備えた、
ことを特徴とする個別試験実施装置。
【請求項２】
請求項１に記載の個別試験実施装置において、
前記順序指示手段へ与える再生順序指示データを保持させる順序データ保持手段を備えた、
ことを特徴とする個別試験実施装置。
【請求項３】
請求項１に記載の個別試験実施装置において、
当該個別試験実施装置の使用者が保有する個別の番号を入力する個別番号入力手段と、
前記順序指示手段へ与える再生順序指示データを上記個別番号から生成する順序データ生成手段とを備えた、
ことを特徴とする個別試験実施装置。
【請求項４】
請求項１から請求項３のいずれかに記載の個別試験実施装置であって、
前記順序指示手段へ動作指示を与える時刻指示手段と、
前記時刻指示手段が作動する時刻データを保持する時刻データ保持手段とを備えた、
ことを特徴とする個別試験実施装置。
【請求項５】
請求項１から請求項４のいずれかに記載の個別試験実施装置であって、
試験問題の再生に連動して解答を入力可能なように動作する解答入力手段と、
前記解答手段によって生成された解答データを格納する解答格納手段とを備えた、
ことを特徴とする個別試験実施装置。
【請求項６】
請求項１から請求項５のいずれかに記載の個別試験実施装置であって、
当該個別試験実施装置を作動させる電池の残量を監視する電池残量監視手段と、
前記電池残量監視手段により電池残量が一定レベル以下になると試験問題の進行度情報を格納する進行度格納手段とを備えた、
ことを特徴とする個別試験実施装置。
【請求項７】
試験問題を格納する試験問題格納手段と、
前記試験問題格納手段により格納された前記試験問題を再生する再生手段と、
個人情報を格納する個人情報格納手段と
前記個人情報格納手段により格納されている前記個人情報を読み出し、表示する表示手段と、を備えた、
ことを特徴とする個別試験実施装置。
【請求項８】
試験問題を格納する試験問題格納手段と、
前記試験問題格納手段により格納された前記試験問題を再生する再生手段と、
前記試験問題の再生に連動して解答を入力可能なように動作する解答入力手段と、
前記入力された解答を格納する解答格納手段と、
前記解答格納手段に格納された前記解答を無線で送信する無線通信手段と、を備えた、
ことを特徴とする個別試験実施装置。
【請求項９】
試験問題を格納する試験問題格納手段と、
前記試験問題格納手段により格納された前記試験問題を再生する再生手段と、
前記試験問題の再生に連動して解答を入力可能なように動作する解答入力手段と、
前記解答入力手段から入力された前記解答を逐次無線で送信する無線通信手段と、を備えた、
ことを特徴とする個別試験実施装置。
【請求項１０】
個別試験実施装置ごとに異なる固有番号を格納する固有番号格納手段と、
前記固有番号によって前記試験問題を暗号化して試験問題を格納する試験問題格納手段と、
前記試験問題格納手段により格納された前記試験問題を読み出して復号化する復号化手段と、
前記復号化して試験問題を再生する再生手段と、を備えた、
ことを特徴とする個別試験実施装置。
【請求項１１】
請求項１０記載の個別試験実施装置において、
前記試験問題の再生に連動して解答を入力可能なように動作する解答入力手段と、
前記入力された解答を保持する解答格納手段と、を備えた、
ことを特徴とする個別試験実施装置。
【請求項１２】
試験問題を保護情報として格納する試験問題格納手段と、
前記試験問題格納手段により格納された前記試験問題を再生する再生手段と、
前記試験問題格納手段と前記再生手段とがあらかじめ決められた組み合わせであることを確認する相互認証処理手段と、を備え、
前記相互認証処理手段により相互認証が確認された場合に、前記再生手段による試験問題の再生が行われる、
ことを特徴とする個別試験実施装置。
【請求項１３】
請求項１２記載の個別試験実施装置において、
前記試験問題格納手段と前記再生手段とがあらかじめ決められた組み合わせであることを確認した結果を表示する相互認証結果表示手段を備えた、
ことを特徴とする個別試験実施装置。
【請求項１４】
請求項１ないし１３のいずれかに記載の個別試験実施装置を用いた試験方法。
【手続補正２】
【補正対象書類名】明細書
【補正対象項目名】全文
【補正方法】変更
【補正の内容】
【発明の詳細な説明】
【技術分野】
【０００１】
本発明は、個別試験実施装置に関するものである。
【背景技術】
【０００２】
従来の、独立行政法人  大学入試センターが実施している「大学入試センター試験」におけるリスニングテストは、試験会場にあるスピーカーから音声を再生し、その試験会場にいる受験生に一斉に聞かせ、問題を解答する。解答はマークシートに記入する。しかし、試験会場の環境の違い、例えば、試験会場での座席位置によって再生される音声の聞こえ方の違いから生じる不公平性を解消するため、ヘッドホンやイヤホンを接続した個別試験実施装置を用いた試験方法が検討されている。
【０００３】
この技術は、従来の文献として引用すべきものは見当たらなかったが、下記の非特許文献があり、周知の事実となっている。（例えば、非特許文献１参照。）。
【非特許文献１】新聞記事  ２００３年１１月６日発行の朝日新聞（朝刊）、２９面
【発明の開示】
【０００４】
しかし、従来の個別試験実施装置では同一試験問題を同一順序、かつ、同一タイミングで解答するため、解答を書き込むマークシート上の解答位置が容易に判断することができ、不正行為がおきやすい。また、試験官の合図により受験者が一斉に個別試験実施装置の再生ボタンを押して試験を開始するが、その合図に先立って再生ボタンを押して試験問題が知られてしまうといった不公平性が生じやすい。また、個別試験実施装置の電池残量がなくなると試験が中断し、残りの問題の解答ができなくなるという欠点も有している。
【０００５】
さらに、このようなリスニングテストでは、記録メディアを持ち出して試験会場の外で用意した個別試験実施装置以外で問題を再生して他者に聞かせて解答を得たり、受験する者が受験生本人であるか確認できないなど不正行為がおきやすい。また、マークシートに解答を記入する場合、マークシートを回収してから受験生の退出がおこなわれるため、試験終了まで時間がかかっていた。
【０００６】
本発明は、以上のような問題点を鑑みてなされたものであり、個別試験実施装置を用いた試験に関し、不正行為を防止することができ、電池残量による試験中断の影響がない個別試験実施装置および該個別試験実施装置を用いた試験方法を提供することを目的とする。また、試験終了後の答案の回収を迅速に行なえる個別試験実施装置および試験方法を提供することを目的とする。
【０００７】
上記課題を解決するために、本発明の請求項１に記載の個別試験実施装置は、試験問題を格納する問題格納手段と、前記問題格納手段により格納された試験問題を再生する再生手段と、上記試験問題の再生順序を指示する順序指示手段とを備えた、ことを特徴とするものである。
【０００８】
また、本発明の請求項２に記載の個別試験実施装置は、請求項１に記載の個別試験実施装置において、前記順序指示手段へ与える再生順序指示データを保持させる順序データ保持手段を備えた、ことを特徴とするものである。
【０００９】
また、本発明の請求項３に記載の個別試験実施装置は、請求項１に記載の個別試験実施装置において、当該個別試験実施装置の使用者が保有する個別の番号を入力する個別番号入力手段と、前記順序指示手段へ与える再生順序指示データを上記個別番号から生成する順序データ生成手段とを備えた、ことを特徴とするものである。
【００１０】
また、本発明の請求項４に記載の個別試験実施装置は、請求項１から請求項３のいずれかに記載の個別試験実施装置であって、前記順序指示手段へ動作指示を与える時刻指示手段と、前記時刻指示手段が作動する時刻データを保持する時刻データ保持手段とを備えた、ことを特徴とするものである。
【００１１】
また、本発明の請求項５に記載の個別試験実施装置は、請求項１から請求項４のいずれかに記載の個別試験実施装置であって、試験問題の再生に連動した解答入力手段と、前記解答手段によって生成された解答データを格納する解答格納手段とを備えた、ことを特徴とするものである。
【００１２】
また、本発明の請求項６に記載の個別試験実施装置は、請求項１から請求項５のいずれかに記載の個別試験実施装置であって、当該個別試験実施装置を作動させる電池の残量を監視する電池残量監視手段と、前記電池残量監視手段により電池残量が一定レベル以下になると試験問題の進行度情報を格納する進行度格納手段とを備えた、ことを特徴とするものである。
【００１３】
また、本発明の請求項７に記載の個別試験実施装置は、試験問題を格納する試験問題格納手段と、前記試験問題格納手段により格納された前記試験問題を再生する再生手段と、個人情報を格納する個人情報格納手段と前記個人情報格納手段により格納されている前記個人情報を読み出し、表示する表示手段と、を備えた、ことを特徴とするものである。
【００１４】
また、本発明の請求項８に記載の個別試験実施装置は、試験問題を格納する試験問題格納手段と、前記試験問題格納手段により格納された前記試験問題を再生する再生手段と、前記試験問題の再生に連動して解答を入力する解答入力手段と、前記入力された解答を格納する解答格納手段と、前記解答格納手段に格納された前記解答を無線で送信する無線通信手段と、を備えた、ことを特徴とするものである。
【００１５】
また、本発明の請求項９に記載の個別試験実施装置は、試験問題を格納する試験問題格納手段と、前記試験問題格納手段により格納された前記試験問題を再生する再生手段と、前記試験問題の再生に連動して解答を入力する解答入力手段と、前記解答入力手段から入力された前記解答を逐次無線で送信する無線通信手段と、を備えた、ことを特徴とするものである。
【００１６】
また、本発明の請求項１０に記載の個別試験実施装置は、個別試験実施装置ごとに異なる番号を格納する固有番号格納手段と、前記固有番号によって前記試験問題を暗号化して試験問題を格納する試験問題格納手段と、前記試験問題格納手段により格納された前記試験問題を読み出して復号化する復号化手段と、前記復号化して試験問題を再生する再生手段と、を備えた、ことを特徴とするものである。
【００１７】
また、本発明の請求項１１に記載の個別試験実施装置は、請求項１０記載の個別試験実施装置において、前記試験問題の再生に連動して解答を入力する解答入力手段と、前記入力された解答を保持する解答格納手段と、を備えた、ことを特徴とするものである。
【００１８】
また、本発明の請求項１２に記載の個別試験実施装置は、保護情報として試験問題を格納する試験問題格納手段と、前記試験問題格納手段により格納された前記試験問題を再生する再生手段と、前記試験問題格納手段と前記再生手段があらかじめ決められた組み合わせであることを確認する相互認証処理手段と、を備え、前記相互認証処理手段により相互認証が確認された場合に、前記再生手段による試験問題の再生が行われる、ことを特徴とするものである。
【００１９】
また、本発明の請求項１３に記載の個別試験実施装置は、請求項１２記載の個別試験実施装置において、前記試験問題格納手段と前記再生手段があらかじめ決められた組み合わせであることを確認した結果を表示する相互認証結果表示手段を備えた、ことを特徴とするものである。
【００２０】
また、本発明の請求項１４に記載の個別試験実施方法は、請求項１ないし１３のいずれかに記載の個別試験実施装置を用いた、ことを特徴とするものである。
【００２１】
本発明の請求項１に係る個別試験実施装置は、試験問題を格納する問題格納手段と、前記問題格納手段により格納された試験問題を再生する再生手段と、上記試験問題の再生順序を指示する順序指示手段とを備えたので、試験問題を一定の順序で再生することが可能となる効果がある。
【００２２】
また、本発明の請求項２に係る個別試験実施装置は、請求項１に記載の個別試験実施装置において、前記順序指示手段へ与える再生順序指示データを保持させる順序データ保持手段を備えたので、再生される試験問題の順序を入れ替えることが可能となる効果がある。
【００２３】
また、本発明の請求項３に係る個別試験実施装置は、請求項１に記載の個別試験実施装置において、当該個別試験実施装置の使用者が保有する個別の番号を入力する個別番号入力手段と、前記順序指示手段へ与える再生順序指示データを上記個別番号から生成する順序データ生成手段とを備えたので、上記個別番号を基準に試験問題が再生される個別番号入力型個別試験実施装置を提供することが可能となる効果がある。
【００２４】
また、本発明の請求項４に係る個別試験実施装置は、請求項１から請求項３のいずれかに記載の個別試験実施装置であって、前記順序指示手段へ動作指示を与える時刻指示手段と、前記時刻指示手段が作動する時刻データを保持する時刻データ保持手段とを備えたので、予定された時刻に試験問題が自動的に再生される、試験問題自動再生型個別試験実施装置を提供することができる効果がある。
【００２５】
また、本発明の請求項５に係る個別試験実施装置は、請求項１から請求項４のいずれかに記載の個別試験実施装置であって、試験問題の再生に連動した解答入力手段と、前記解答手段によって生成された解答データを格納する解答格納手段とを備えたので、試験問題に対する解答を直接入力する、解答入力型個別試験実施装置を提供することができる効果がある。
【００２６】
また、本発明の請求項６に係る個別試験実施装置は、請求項１から請求項５のいずれかに記載の個別試験実施装置であって、当該個別試験実施装置を作動させる電池の残量を監視する電池残量監視手段と、前記電池残量監視手段により電池残量が一定レベル以下になると試験問題の進行度情報を格納する進行度格納手段とを備えたので、電池の残量を監視する、電池残量監視型個別試験実施装置を提供することができる効果がある。
【００２７】
また、本発明の請求項７に係る個別試験実施装置は、試験問題を格納する試験問題格納手段と、前記試験問題格納手段により格納された前記試験問題を再生する再生手段と、個人情報を格納する個人情報格納手段と前記個人情報格納手段により格納されている前記個人情報を読み出し、表示する表示手段と、を備えたので、試験監督者は個別試験実施装置１０１が設置されている席に着座している者が受験者であるか否かの判定が容易になり、受験者の成り代わりによる不正行為を防ぐことができる効果がある。
【００２８】
また、本発明の請求項８に係る個別試験実施装置は、試験問題を格納する試験問題格納手段と、前記試験問題格納手段により格納された前記試験問題を再生する再生手段と、前記試験問題の再生に連動して解答を入力する解答入力手段と、前記入力された解答を格納する解答格納手段と、前記解答格納手段に格納された前記解答を無線で送信する無線通信手段と、を備えたので、無線通信によって解答を回収することで、試験終了までの時間を短縮することができる効果がある。
【００２９】
また、本発明の請求項９に係る個別試験実施装置は、試験問題を格納する試験問題格納手段と、前記試験問題格納手段により格納された前記試験問題を再生する再生手段と、前記試験問題の再生に連動して解答を入力する解答入力手段と、前記解答入力手段から入力された前記解答を逐次無線で送信する無線通信手段と、を備えたので、受験者それぞれにマークシートのような解答を格納する手段を提供する必要が無くなるとともに試験終了までの時間を短縮することができる効果がある。
【００３０】
また、本発明の請求項１０に係る個別試験実施装置は、個別試験実施装置ごとに異なる番号を格納する固有番号格納手段と、前記固有番号によって前記試験問題を暗号化して試験問題を格納する試験問題格納手段と、前記試験問題格納手段により格納された前記試験問題を読み出して復号化する復号化手段と、前記復号化して試験問題を再生する再生手段と、を備えたので、記録メディアを持ち出して他者に聞かせて解答を得るなどの不正行為を防止することができる効果がある。
【００３１】
また、本発明の請求項１１に係る個別試験実施装置は、請求項１０記載の個別試験実施装置において、前記試験問題の再生に連動して解答を入力する解答入力手段と、前記入力された解答を保持する解答格納手段と、を備えたので、記録メディアを持ち出して他者に聞かせて解答を得るなどの不正行為を防止することが可能となるとともに、解答を格納したメモリーカード自体は提出する必要が無いため、受験者が持ち帰ることで自己採点に利用することが可能となり、自己採点の精度の向上と受験校の選択までの時間短縮を図ることができる効果がある。
【００３２】
また、本発明の請求項１２に係る個別試験実施装置は、保護情報として試験問題を格納する試験問題格納手段と、前記試験問題格納手段により格納された前記試験問題を再生する再生手段と、前記試験問題格納手段と前記再生手段があらかじめ決められた組み合わせであることを確認する相互認証処理手段と、を備え、前記相互認証処理手段により相互認証が確認された場合に、前記再生手段による試験問題の再生が行なわれるようにしたので、試験問題格納手段を試験会場以外で再生しようとしても相互認証を確立することが困難であり、試験会場外での試験問題の再生が不可能となり、記録メディアを持ち出して他者に聞かせて解答を得るなどの不正行為を防止することができる効果がある。
【００３３】
また、本発明の請求項１３に係る個別試験実施装置は、請求項１２記載の個別試験実施装置において、前記試験問題格納手段と前記再生手段があらかじめ決められた組み合わせであることを確認した結果を表示する相互認証結果表示手段を備えたので、試験会場で試験問題の再生が行われなかった場合に、機器の故障か不正な組み合わせなのかを判別し、試験を迅速に開始することができる効果がある。
【００３４】
また、本発明の請求項１４に係る個別試験実施方法は、請求項１から請求項１３のいずれかに記載の個別試験実施装置を用いたので、不正行為を防止する効果、滞りなく試験を実施する効果、あるいは試験終了後の答案の回収を迅速に行なえる効果がある。
【発明を実施するための最良の形態】
【００３５】
以下、本発明の各実施例を、図面を参照しながら説明する。
【実施例１】
【００３６】
先ず、本発明の実施例１に係る個別試験実施装置の構成について、図１及び図４の各図を参照して説明する。図１は、本発明の実施例１に係る個別試験実施装置のブロック図であり、図４（ａ）は、本発明の実施例１に係る個別試験実施装置の上面部であり、図４（ｂ）は、本発明の実施例１に係る個別試験実施装置の背面部であり、図４（ｃ）は、本発明の実施例１に係る個別試験実施装置の背面部の電池ボックス蓋を外した状態図である。
【００３７】
図１において、１１は本発明の実施例１に係る個別試験実施装置であり、個別試験実施装置１１内に、順序データ保持手段１２と、順序指示手段１３と、問題格納手段１４と、再生手段１５とを備え、個別試験実施装置１１を構成する順序指示手段１３に再生ボタン１６が、再生手段１５にヘッドホン１７がそれぞれ接続されている。
【００３８】
また、本発明の実施例１に係る個別試験実施装置１１のより詳細な構成は、図４（ａ）、図４（ｂ）、図４（ｃ）の各図に示すように、主として再生ボタン１６ａと、表示装置１９と、音量設定ボタン２０と、モード設定スイッチ２２とを備え、当該個別試験実施装置には、メモリーカード１８が挿着され、ヘッドホン１７が接続されている。
【００３９】
問題格納手段１４は試験問題を格納するものであり、個別試験実施装置１１内に試験問題を格納する。順序データ保持手段１２は、試験問題の再生順序を示すデータ（以下、順序データという。）が保持される。順序指示手段１３は、問題格納手段１４に格納されている試験問題を読み出すものであり、上記順序データに従って試験問題を読み出す。再生手段１５は、問題格納手段１４に格納されている試験問題をヘッドホン１７に出力させる。
【００４０】
メモリーカード１８は、試験問題が格納され、かつ、該試験問題の再生順序である順序データが保持される。すなわち、メモリーカード１８が、前記問題格納手段１４および前記順序データ保持手段１２に対応する。
【００４１】
モード設定スイッチ２２は、メモリーカード１８に格納された何れの順序データを用いるかを設定するものであり、試験実施時の通常モードと、試験問題の順序を設定する順序設定モードとを備える。当該モード設定スイッチ２２をプラスモード２２ａにすると順序設定モードとなり、試験問題の順序を設定することができ、プラスモード２２ａに対するマイナスモードにすることで通常モードとなる。当該モード設定スイッチ２２は、電池ボックス２１ａ内に配置される。
【００４２】
前記音量設定ボタン２０は、順序データを切り替えるものであり、プラスボタン２０ａとマイナスボタン２０ｂとを備え、前記モード設定スイッチ２２を順序設定モードとした後に、当該音量設定ボタン２０のプラスボタン２０ａを押すことにより順序データの設定番号が増加し、マイナスボタン２０ｂを押すことで順序データの設定番号が減少して試験問題の順序データを切り替える。該設定番号は表示装置１９に表示され、順序データの切り替え作業を容易にする。すなわち、モード設定スイッチ２２と音量設定ボタン２０とが、前記順序指示手段１３に対応する。
【００４３】
再生ボタン１６ａは、試験問題を再生させるものであり、１回押すと試験問題が再生され、もう１回押すと停止状態となる。再生された試験問題はヘッドホン１７にて聞くことができる。すなわち、再生ボタン１６ａが、前記再生手段１５に対応する。
【００４４】
上記のように構成された本発明の実施例１に係る個別試験実施装置１１の動作について、図２及び図４の各図を参照して説明する。図２は、本発明の実施例１に係る個別試験実施装置の順序データの１例を示す。
【００４５】
試験の実施に先立ち、図２に示すように、第１問から第６問までの試験問題をメモリカ−ド１８に格納するとともに、第１問から第６問までの問題を適切に並べた設定１から設定４までの４ケースを設定した順序データをメモリーカード１８に保持させる。
【００４６】
試験問題が格納され、順序データが保持されたメモリーカード１８を、個別試験実施装置１１に挿着し、図４（ｂ）、図４（ｃ）の各図に示すように、ネジ２１ｂを緩めて電池ボックス蓋２１を外し、電池ボックス２１ａ内に配置されているモード設定スイッチ２２を順序設定モードとする。音量ボタン２０のプラスボタン２０ａもしくはマイナスボタン２０ｂのいずれかを押し、メモリーカード１８に記憶させた順序データを読み出し、表示装置１９に表示された順序データを確認しながら、試験問題の再生順序を設定する。試験問題の再生順序の設定終了後に、モード設定スイッチ２２を、通常モードに戻し、ネジ２１ｂを用いて電池ボックス蓋２１を電池ボックス２１ａに取付ける。電池ボックス蓋２１をネジ止めすることで、受験生が勝手に、試験問題の再生順序を変える行為を防止する。
【００４７】
試験の実施時は、再生ボタン１６を１回押すと、順序指示手段１３が、メモリーカード１８に保持されている順序データを基準に、メモリーカードに格納されている試験問題データを読み出し、読み出された試験問題データは再生手段１５に送られて再生され、試験問題がヘッドホン１７から音声として出力される。さらにもう１回、再生ボタン１６を押すと停止状態となる。
【００４８】
個別試験実施装置１１は、次に述べるようにして用いられる。図３は、本発明の実施例１に係る個別試験実施装置の試験会場の座席位置と個別試験実施装置の配列例であり、図２に示す試験問題および該試験問題の再生順序が設定された個別試験実施装置を、図３に示すように、各座席位置での試験問題の再生順序がその各座席位置の近隣周辺と異なるよう試験会場に配置する。これにより試験が実施できる状態となる。
【００４９】
以上のように、本発明の実施例１に係る個別試験実施装置１１によれば、試験問題を格納する問題格納手段１４と、問題格納手段１４により格納された試験問題を再生する再生手段１５と、上記試験問題の再生順序を指示する順序指示手段１３と、順序指示手段１３へ与える再生順序指示データを保持させる順序データ保持手段１２とを備えたので、個別試験実施装置１１ごとに試験問題の再生順序を設定することが可能となり、受験者が、隣りの受験者が入力した解答を見るといった不正行為を防止することが可能となる。
【００５０】
また、本発明の実施例１に係る個別試験実施装置１１を用いた試験方法により、公平な試験を実施することが可能となる。
【００５１】
なお、本発明の実施例１では、個別試験実施装置１１の順序データ、及び試験問題の数量、並びに試験会場の座席位置は、各座席位置での試験問題の再生順序がその各座席位置の近隣周辺と異なればよく、順序データおよび試験問題の数量は図２に、座席位置は図３にそれぞれ限定されるものではない。
【００５２】
また、個別試験実施装置１１のより詳細な構成は、試験問題を格納し、該試験問題を予め設定された再生順序で再生し、該再生順序を保持することができればよく、本発明の実施例１に限定されるものではない。
【実施例２】
【００５３】
本発明の実施例２に係る個別試験実施装置は、上述の実施例１に係る個別試験実施装置１１に、該個別試験実施装置の使用者が個別に保有する個別番号を入力し、該個別番号を基準に試験問題が再生される個別番号入力機能を付加した、個別番号入力型個別試験実施装置であり、上述の実施例１に係る個別試験実施装置１１と同じまたは同等の機能を有するものについては同符号を記し、詳細な説明は省略する。
【００５４】
先ず、本発明の実施例２に係る個別試験実施装置の構成について、図５と図６の各図を参照して説明する。図５は、本発明の実施例２に係る個別試験実施装置のブロック図であり、図６は、本発明の実施例２に係る個別試験実施装置の上面部を示す図である。
【００５５】
図５において、１１ａは本発明の実施例２に係る個別試験実施装置であり、個別試験実施装置１１ａ内に、個別番号入力生成手段２３と、順序データ生成手段２４と、順序指示手段１３と、問題格納手段１４と、再生手段１５とを備え、順序指示手段１３に再生ボタン１６が、再生手段１５にヘッドホン１７がそれぞれ接続されている。
【００５６】
また、本発明の実施例２に係る個別試験実施装置１１ａのより詳細な構成は、図６に示すように、主として再生ボタン１６ａと、表示装置１９と、音量設定ボタン２０と、受験番号入力ボタン２５とを備え、当該個別試験実施装置１１ａには、メモリーカード１８が挿着され、ヘッドホン１７が接続されている。
【００５７】
したがって、上述の実施例１に係る個別試験実施装置１１と異なる、個別番号入力手段２３と、順序データ生成手段２４と、受験番号入力ボタン２５とについて説明する。
【００５８】
個別番号入力手段２３は、個別番号を入力するものであり、問題格納手段１４に格納されている何れの試験問題を読み出すかを設定する個別番号、例えば受験番号、を入力する。
【００５９】
順序データ生成手段２４は、順序データを生成するものであり、個別番号入力手段２３にて入力された受験番号を基準に試験問題の再生順序を設定する順序データを生成する。
【００６０】
受験番号入力ボタン２５は、入力ボタン２５ａと、決定ボタン２５ｂと、消去ボタン２５ｃと、０から９までの数字を入力する数字ボタン２５ｄとを備え、入力ボタン２５ａを押した後、数字ボタン２５ｄを押して受験番号を入力する。受験番号は表示装置１９に出力されるので入力した受験番号を目視にて確認することができる。受験番号を入力した後に、決定ボタン２５ｂを押すと受験番号が決定されて該受験番号に応じた試験問題の再生順序が設定される。消去ボタン２５ｃは、容易に受験番号の訂正が行なえるようにしたものであり、誤って入力した数字を消去することができる。すなわち、受験番号入力ボタン２５が、前記個別番号入力手段２３に対応する。
【００６１】
上記のように構成された本発明の実施例２に係る個別試験実施装置１１ａの動作について説明する。試験の実施に先立ち、試験問題が格納されたメモリーカード１８を、上述の実施例１に係る個別試験装置１１と同様に、本発明の実施例２に係る個別試験実施装置１１ａに挿着する。試験の実施時は、受験番号が入力されると、該受験番号を基準に、順序データ生成手段２４が順序データを生成して試験問題の再生順序が決定し、試験問題を再生させる準備が完了する。そして、再生ボタン１６ａを押すと、試験問題がヘッドホン１７から出力される。再生ボタン１６ａをもう１回押すと停止状態となる。
【００６２】
本発明の実施例２に係る個別試験実施装置１１ａは、次に述べるようにして用いられる。試験問題が設定された本実施例２に係る個別試験実施装置１１ａを、上述の実施例１に係る個別試験実施装置１１と同様に、試験会場に配置する。これにより試験が実施できる状態となる。
【００６３】
以上のように、本発明の実施例２に係る個別試験実施装置１１ａによれば、試験問題を格納する問題格納手段１４と、問題格納手段１４により格納された試験問題を再生する再生手段１５と、上記試験問題の再生順序を指示する順序指示手段１３と、順序指示手段１３へ与える再生順序指示データを保持させる順序データ保持手段１２と、受験番号を入力する個別番号入力手段２３と、順序指示手段１３へ与える再生順序指示データを上記受験番号から生成する順序データ生成手段２４とを備えたので、試験問題の再生順序を受験番号ごとに設定することが可能となり、受験者が、隣りの受験者が入力した解答を見るといった不正行為を防止することが可能となる。
【００６４】
また、本発明の実施例２に係る個別試験実施装置１１ａを用いた試験方法により、受験番号を基準に試験問題の再生順序が設定される試験を実施することが可能となる。
【００６５】
なお、本発明の実施例２では、個別試験実施装置１１ａの順序データ、及び試験問題の数量、並びに試験会場の座席位置は、受験番号に応じて、各座席位置での試験問題の再生順序がその各座席位置の近隣周辺と異なればよく、順序データおよび試験問題の数量は図２に、座席位置は図３にそれぞれ限定されるものではない。
【００６６】
また、本発明の実施例２に係る個別試験実施装置１１ａのより詳細な構成は、試験問題を格納し、該試験問題を、個別入力された受験番号を基準として予め設定された再生順序で再生し、該再生順序を保持することができればよく、本実施例２に限定されるものではない。
【実施例３】
【００６７】
本発明の実施例３に係る個別試験実施装置は、上述の実施例１に係る個別試験実施装置１１に、一定の時刻になると試験問題を自動的に再生する試験問題自動再生機能を付加した、試験問題自動再生型個別試験実施装置であり、上述の実施例１に係る個別試験実施装置１１と同じまたは同等の機能を有するものについては同符号を記し、詳細な説明は省略する。
【００６８】
先ず、本発明の実施例３に係る個別試験実施装置１１ｂの構成について、図７を参照して説明する。図７は、本発明の実施例３に係る個別試験実施装置のブロック図である。
【００６９】
図７において、１１ｂは本発明の実施例３に係る個別試験実施装置であり、個別試験実施装置１１ｂ内に、順序データ保持手段１２と、順序指示手段１３と、問題格納手段１４と、再生手段１５と、時刻データ保持手段２６と、時刻指示手段２７とを備え、再生手段１５にヘッドホン１７が接続されている。したがって、上述の実施例１に係る個別試験実施装置１１と異なる、時刻データ保持手段２６および時刻指示手段２７について説明する。
【００７０】
時刻データ保持手段２６は、試験の開始時刻を設定し、該試験開始時刻を保持させるものである。時刻指示手段２７は、再生ボタンと同等の機能を有し、時刻データ保持手段２６に保持された試験開始時間を読出し、試験開始時間になると試験問題を自動的に再生させる。
【００７１】
上記のように構成された本発明の実施例３に係る個別試験実施装置１１ｂの動作について説明する。試験の実施に先立ち、上述の実施例１に係る個別試験装置１１と同様に、試験問題が格納され、順序データが保持され、かつ、時刻データ保持手段２６により試験開始時刻が保持されたメモリーカード１８を本発明の実施例３に係る個別試験実施装置１１ｂに挿着する。試験の実施時は、時刻指示手段２７が、時刻データ保持手段２６に保持された試験開始時刻を読み出し、設定された試験開始時間になると、自動的に試験問題がヘッドホン１７から音声として出力される。
【００７２】
本発明の実施例３に係る個別試験実施装置１１ｂは、次に述べるようにして用いられる。上述の実施例１に係る個別試験実施装置１１と同様に、試験問題と、該試験問題の再生順序と試験開始時刻とが設定された本実施例３に係る個別試験実施装置１１ｂを、図３に示すように、各座席位置での試験問題の再生順序がその各座席位置の近隣周辺と異なるよう試験会場に配置する。これにより試験が実施できる状態となる。
【００７３】
以上のように、本発明の実施例３に係る個別試験実施装置１１ｂによれば、試験問題を格納する問題格納手段１４と、問題格納手段１４により格納された試験問題を再生する再生手段１５と、上記試験問題の再生順序を指示する順序指示手段１３と、順序指示手段１３へ与える再生順序指示データを保持させる順序データ保持手段１２と、前記順序指示手段１３へ動作指示を与える時刻指示手段２７と、時刻指示手段２７が作動する時刻データを保持する時刻データ保持手段２６とを備えたので、試験開始時刻になると一斉に試験を開始することが可能となる。
【００７４】
また、本発明の実施例３に係る個別試験実施装置１１ｂを用いた試験方法により、試験問題の先聞きを防止することが可能となる。
【００７５】
なお、本発明の実施例３では、個別試験実施装置１１ｂの順序データ、及び試験問題の数量、並びに試験会場の座席位置は、各座席位置での試験問題の再生順序がその座席位置の近隣周辺と異なればよく、順序データおよび試験問題の数量は図２に、座席位置は図３にそれぞれ限定されるものではない。
【００７６】
また、本発明の実施例３に係る個別試験実施装置１１ｂのより詳細な構成は、試験問題を格納し、該試験問題を予め設定された試験開始時刻および再生順序を基準に再生し、該試験開始時刻および再生順序を保持することができればよく、本実施例３に限定されるものではない。
【００７７】
また、本発明の実施例３に係る個別試験実施装置１１ｂは、上述の実施例２に係る個別試験実施装置１１ａが有する個別番号入力機能を組み込むこともでき、本実施例３に限定されるものではない。
【実施例４】
【００７８】
本発明の実施例４に係る個別試験実施装置は、上述の実施例１に係る個別試験実施装置１１に、該個別試験実施装置の使用者が、該個別試験実施装置から再生される試験問題に対する解答を、該個別試験実施装置に直接入力する解答入力機能を付加した、解答入力型個別試験実施装置であり、上述の実施例１に係る個別試験実施装置１１と同じまたは同等の機能を有するものについては同符号を記し、詳細な説明は省略する。
【００７９】
先ず、本発明の実施例４に係る個別試験実施装置１１ｃの構成について、図８と図９の各図を参照して説明する。図８は、本発明の実施例４に係る個別試験実施装置のブロック図であり、図９は、本発明の実施例４に係る個別試験実施装置の上面部を示す図である。
【００８０】
図８において、１１ｃは本発明の実施例４に係る個別試験実施装置であり、個別試験実施装置１１ｃ内に、順序データ保持手段１２と、順序指示手段１３と、問題格納手段１４と、再生手段１５と、解答入力手段２８と、解答格納手段２９とを備え、順序指示手段１３に再生ボタン１６が、再生手段１５にヘッドホン１７がそれぞれ接続されている。
【００８１】
また、本発明の実施例４に係る個別試験実施装置１１ｃのより詳細な構成は、図９に示すように、主として再生ボタン１６と、表示装置１９と、音量設定ボタン２０と、解答入力ボタン３０とによって構成され、当該個別試験実施装置には、メモリーカード１８が挿着され、ヘッドホン１７が接続されている。
【００８２】
したがって、上述の実施例１に係る個別試験実施装置１１と異なる、解答入力手段２８と、解答格納手段２９と、解答入力ボタン３０とについて説明する。
解答入力手段２８は、試験問題に対する解答を入力する機能を有する。
【００８３】
解答格納手段２９は、解答入力手段２８で入力された試験問題の解答を格納させるものである。
【００８４】
解答入力ボタン３０は、確定ボタン３０ａと、取消ボタン３０ｂと、ＡからＤまでの英字を入力する英字ボタン３０ｃとを備え、英字ボタン３０ｃを押して解答を入力する。解答は表示装置１９に表示されるので入力した解答を確認することができる。解答入力後、確定ボタン３０ａを押すと解答が決定する。取消ボタン３０ｂは、誤って入力した解答を消去し、容易に解答の訂正が行なえるようにしたものである。すなわち、解答入力ボタン３０は、前記解答入力手段２８に対応する。
【００８５】
上記のように構成された本発明の実施例４に係る個別試験実施装置１１ｃの動作について説明する。試験の実施に先立ち、上述の実施例１に係る個別試験装置１１と同様に、試験問題が格納され、かつ、順序データが保持されたメモリーカード１８を本発明の実施例４に係る個別試験実施装置１１ｃに挿着する。試験の実施時は、再生ボタン１６を１回押すと、試験問題がヘッドホン１７から出力される。もう１回、再生ボタン１６を押すと停止状態となる。試験問題の再生と並行して、該試験問題に対する解答を、解答入力手段２８、すなわち解答入力ボタン３０により本発明の実施例４に係る個別試験実施装置１１ｃに入力する。そして、入力された解答は解答格納手段２９、すなわちメモリーカード１８に格納される。
【００８６】
本発明の実施例４に係る個別試験実施装置１１ｃは、次に述べるようにして用いられる。上述の実施例１に係る個別試験実施装置１１と同様に、試験問題と、該試験問題の再生順序とが設定された本実施例４に係る個別試験実施装置１１ｃを、図３に示すように、各座席位置での試験問題の再生順序がその各座席位置の近隣周辺と異なるよう試験会場に配置する。これにより試験が実施できる状態となる。
【００８７】
以上のように、本発明の実施例４に係る個別試験実施装置１１ｃによれば、試験問題を格納する問題格納手段１４と、問題格納手段１４により格納された試験問題を再生する再生手段１５と、試験問題の再生順序を指示する順序指示手段１３と、順序指示手段１３へ与える再生順序指示データを保持させる順序データ保持手段１２と、試験問題の再生に連動して動作する解答入力手段２８と、解答入力手段２８によって生成された解答データを格納する解答格納手段２９とを備えたので、試験問題の再生が、隣りの装置での試験問題の再生の順序と異なる順序で行なわれることにより、試験実施中に受験者が、隣りの受験者が入力した解答を見るといった不正行為を防ぐことが可能となる。
【００８８】
また、本発明の実施例４に係る個別試験実施装置１１ｃを用いた試験方法により、解答用紙を用いないで試験を実施することが可能となる。
【００８９】
なお、本発明の実施例４では、個別試験実施装置１１ｃの順序データ、及び試験問題の数量、並びに試験会場の座席位置は、各座席位置での試験問題の再生順序がその座席位置の近隣周辺と異なればよく、順序データおよび試験問題の数量は図２に、座席位置は図３にそれぞれ限定されるものではない。
【００９０】
また、本発明の実施例４に係る個別試験実施装置１１ｃのより詳細な構成は、試験問題を格納し、該試験問題を再生する順序を保持し、該再生順序を基準に試験問題が再生され、その再生された試験問題に対する解答を入力し、その入力された解答を保持することができればよく、本実施例４に限定されるものではない。
【００９１】
また、本発明の実施例４に係る個別試験実施装置１１ｃは、上述の実施例２に係る個別試験実施装置１１ａが有する個別番号入力機能、もしくは、上述の実施例３に係る個別試験実施装置１１ｂが有する試験問題自動再生機能の組み込み、又はそれらを組み合わせて組み込むこともでき、本実施例４に限定されるものではない。
【実施例５】
【００９２】
本発明の実施例５に係る個別試験実施装置は、上述の実施例１に係る個別試験実施装置１１に電池の残量が監視できる電池残量監視機能を付加した、電池残量監視型個別試験実施装置であり、上述の実施例１に係る個別試験実施装置１１と同じまたは同等の機能を有するものについては同符号を記し、詳細な説明は省略する。
【００９３】
先ず、本発明の実施例５に係る個別試験実施装置１１ｄの構成について、図１０を参照して説明する。図１０は、本発明の実施例５に係る個別試験実施装置１１ｄのブロック図である。図１０において、１１ｄは本発明の実施例５に係る個別試験実施装置であり、個別試験実施装置１１ｄ内に、順序データ保持手段１２と、順序指示手段１３と、問題格納手段１４と、再生手段１５と、電池残量監視手段３１と、進行度格納手段３２とを備え、順序指示手段１３に再生ボタン１６が、再生手段１５にヘッドホン１７が、電池残量監視手段３１に警告ランプ３３がそれぞれ接続されている。したがって、上述の実施例１と異なる、電池残量監視手段３１および進行度格納手段３２について説明する。
【００９４】
電池残量監視手段３１は、電池の残量を監視するものであり、当該実施例５に係る個別試験実施装置１１ｄを継続して使用困難な電池残量である時、警告ランプ３３を点灯させる。
【００９５】
進行度格納手段３２は、解答された試験問題の解答位置を格納するものであり、電池残量監視手段３１が試験問題の継続が困難な電池残量であると判断した時、その時点での試験問題解答位置を当該進行度格納手段３２に格納し、試験問題の進行を停止させる。
【００９６】
上記のように構成された本発明の実施例５に係る個別試験実施装置１１ｄの動作について説明する。試験の実施に先立ち、上述の実施例１に係る個別試験装置１１と同様に、試験問題が格納され、かつ、順序データが保持されたメモリーカード１８を本実施例５に係る個別試験実施装置１１ｄに挿着する。試験の実施時は、再生ボタン１６を押すと、試験問題データが再生されて試験問題がヘッドホン１７から出力される。試験問題の再生と同時に、電池残量監視手段３１は電池残量の監視を始め、電池の残量が試験を継続して解答するのが困難と判断した時、入力された試験問題解答位置を進行度格納手段３２、すなわちメモリーカード１８、に格納した後、警告ランプ３３を点灯させて試験を一時的に中止させる。
【００９７】
本発明の実施例５に係る個別試験実施装置１１ｄは、次に述べるようにして用いられる。上述の実施例１に係る個別試験実施装置１１と同様に、試験問題と、該試験問題の再生順序とが設定された本実施例５に係る個別試験実施装置１１ｄを、図３に示すように、各座席位置での試験問題の再生順序がその各座席位置の近隣周辺と異なるよう試験会場に配置する。これにより試験が実施できる状態となる。試験の実施時は、試験問題の再生と同時に電池残量監視手段３１が作動し、警告ランプ３３が点灯した場合、試験官は、警告ランプ３３が点灯している座席位置の受験生を別室に連れて行き、電池の交換後、進行度格納手段３２に格納された試験問題解答位置から試験を継続させる。
【００９８】
以上のように、本発明の実施例５に係る個別試験実施装置１１ｄによれば、試験問題を格納する問題格納手段１４と、問題格納手段１４により格納された試験問題を再生する再生手段１５と、上記試験問題の再生順序を指示する順序指示手段１３と、順序指示手段１３へ与える再生順序指示データを保持させる順序データ保持手段１２と、電池の残量を監視する電池残量監視手段３１と、電池残量が一定レベル以下になると試験問題の進行度情報を格納する進行度格納手段３２とを備えたので、電池残量が一定レベル以下になったときには試験を一旦中断し、再開後には中断した位置から試験の続行を行なうことが可能となる。
【００９９】
また、本発明の実施例５に係る個別試験実施装置１１ｄを用いた試験方法により、試験の実施に先立って電池の残量を監視することが可能となる。
【０１００】
なお、本発明の実施例５では、個別試験実施装置１１ｄの順序データ、及び試験問題の数量、並びに試験会場の座席位置は、各座席位置での試験問題の再生順序がその各座席位置の近隣周辺と異なればよく、順序データおよび試験問題の数量は図２に、座席位置は図３にそれぞれ限定されるものではない。
【０１０１】
また、本発明の実施例５に係る個別試験実施装置１１ｄのより詳細な構成は、試験問題を格納し、該試験問題の順序データを保持し、該順序データを基準に試験問題が再生され、その試験問題の再生と並行して電池の残量を監視し、その監視結果により試験進行情報を格納して試験を一時的に中断することができればよく、本実施例５に限定されるものではない。
【０１０２】
また、本発明の実施例５に係る個別試験実施装置１１ｄは、上述の実施例２に係る個別試験実施装置１１ａが有する個別番号入力機能、もしくは、上述の実施例３に係る個別試験実施装置１１ｂが有する試験問題自動再生機能、もしくは、上述の実施例４に係る個別試験実施装置１１ｃが有する解答入力機能の組み込み、又はそれらを組み合わせて組み込むこともでき、本実施例５に限定されるものではない。
【実施例６】
【０１０３】
図１１は、本発明の実施例６に係る個別試験実施装置の構成を示す図である。図１１において、１０１は本発明の実施例６に係る個別試験実施装置であり、個別試験実施装置１０１内に、試験問題を格納する試験問題格納手段１０２、試験問題格納手段１０２に格納されている試験問題をヘッドホン１０８に出力する再生手段１０３、個人情報を格納する個人情報格納手段１０４、個人情報格納手段１０４に格納されている個人情報を表示装置１０６に表示する表示手段１０５、試験問題の再生の開始を始める信号を生成するための再生ボタン１０７とを備える。また、１０８は再生手段１０３と接続されたヘッドホンである。
【０１０４】
上記のように構成された本発明の実施例６に係る個別試験実施装置１０１を用いた試験方法について、以下その動作を説明する。
【０１０５】
個別試験実施装置１０１の再生ボタン１０７が押されると、試験問題格納手段１０２に格納されている試験問題データが読み出される。読み出された試験問題データは再生手段１０３に送られ、ヘッドホン１０８に音声として出力される。また、再生ボタン１０７が押されると試験問題データの読み出しとともに個人情報格納手段１０４に格納されている顔写真や受験番号などの個人情報が読み出され、表示手段１０５によって表示装置１０６に個人情報が表示される。
【０１０６】
個別試験実施装置１０１は半導体プレーヤー、試験問題格納手段１０２はメモリーカード、表示装置１０６には液晶画面を用いることで容易に実現することが可能である。
【０１０７】
以上のように、本発明の実施例６に係る個別試験実施装置によれば、個人情報格納手段１０４、表示手段１０５、および表示装置１０６を備えたので、試験監督者は個別試験実施装置１０１が設置されている席に着座している者が受験者であるか否かの判定を容易に行なうことが可能となり、受験者の成り代わりによる不正行為を防ぐことができる。
【０１０８】
なお、本発明の実施例６では、個別試験実施装置１０１として半導体プレーヤーの例を示したが、これだけに限定すべきものではなくラジカセや半導体プレーヤー以外の携帯型音楽プレーヤーなどの音声を再生できる装置であればよいことは言うまでもない。
【０１０９】
また、試験問題格納手段１０２としてメモリーカードの例を示したが、これだけに限定すべきものではなくハードディスクやミニディスクなどの記録できるメディアであればよいことは言うまでもない。
【０１１０】
また、表示装置１０６として液晶画面の例を示したが、これだけに限定すべきものではなく有機ＥＬディスプレイやＰＤＰ（Ｐｌａｓｍａ  Ｄｉｓｐｌａｙ  Ｐａｎｅｌ）などの表示できる装置であればよいことは言うまでもない。
【実施例７】
【０１１１】
図１２は、本発明の実施例７に係る個別試験実施装置の構成を示す図である。図１２において、２０１は本発明の実施例７に係る個別試験実施装置であり、図１１と同一符号は同一または相当部分を示し、２０４は後述する解答格納手段に被試験者の指定した解答を入力するための解答入力手段、２０５は無線通信手段２０６を内蔵した解答格納手段である。
【０１１２】
上記のように構成された本発明の実施例７に係る個別試験実施装置２０１を用いた試験方法について、以下その動作を説明する。
【０１１３】
個別試験実施装置２０１の再生ボタン１０７が押されると、試験問題格納手段１０２に格納されている試験問題データが読み出される。読み出された試験問題データは再生手段１０３に送られ、ヘッドホン１０８に音声として出力される。さらに、試験問題の解答は、マークシートなどの答案用紙に記入するのではなく、解答入力手段２０４で解答を電気信号的に入力し、解答格納手段２０５に格納する。そして、試験終了後の解答の回収には、無線通信手段２０６により解答格納手段２０５に格納された解答を図示しない中央処理装置などに対して送信することで行なう。
【０１１４】
前記個別試験実施装置２０１として半導体プレーヤー、試験問題格納手段１０２、解答格納手段２０５および無線通信手段２０６にはＩＣカードを用いることで容易にシステムを実現することが可能である。この場合、例えば、試験会場の出入り口にＩＣカードリーダーを設置しておき、被試験者が会場退出時に解答を格納したＩＣカードをＩＣカードリーダーにかざすだけで解答の回収が可能となる。
【０１１５】
以上のように、本発明の実施例７に係る個別試験実施装置によれば、マークシート上に解答を記入せずに個別試験実施装置２０１自身に解答を格納していき、無線通信によって解答を回収するようにしたので、試験終了までの時間を短縮することができる。
【０１１６】
なお、本発明の実施例７では、解答格納手段２０５、および無線通信手段２０６としてＩＣカードを例として示したが、これらを実現する機器はＩＣカードに限定したものではなく、データの記録機能と無線通信機能を有するものであればよいことは言うまでもない。
【０１１７】
また、前記個別試験実施装置２０１として半導体プレーヤーを例として示したが、これを実現する機器は、これに限定すべきものではなく、ラジカセや半導体プレーヤー以外の、例えば、携帯型音楽プレーヤーなどの音声を再生できる装置であればよいことは言うまでもない。
【実施例８】
【０１１８】
上記実施例７は、解答を個別試験実施装置に記録し、これを無線通信によって回収することで、試験終了までの時間を短縮することができるものであったが、このように構成された機器で行われる個別試験では、解答格納手段を該解答格納手段に格納された解答を読み取る装置の近くに持っていく必要があった。
【０１１９】
本発明の実施例８に係る個別試験実施装置は、このような点を改良したことを特徴とするものである。以下、図１３を参照して説明する。
【０１２０】
図１３は、本発明の実施例８に係る個別試験実施装置の構成を示す図である。図１３において、３０１は本発明の実施例８に係る個別試験実施装置であり、図１１と同一符号は同一または相当部分を示し、３０４は無線通信手段３０５を含む解答入力手段である。
【０１２１】
上記のように構成された本発明の実施例８に係る個別試験実施装置３０１を用いた試験方法について、以下その動作を説明する。
【０１２２】
個別試験実施装置３０１の再生ボタン１０７が押されると、試験問題格納手段１０２に格納されている試験問題データが読み出される。読み出された試験問題データは再生手段１０３に送られ、ヘッドホン１０８に音声として出力される。さらに、試験問題の解答は、マークシートに記入するのではなく、解答入力手段３０４で解答を入力し、入力された解答は無線通信手段３０５によって集計装置（図示せず）に送信され、解答の回収は随時行われる。
【０１２３】
個別試験実施装置３０１として半導体プレーヤー、試験問題格納手段１０２にはメモリーカード、無線通信手段３０５にはＢｌｕｅｔｏｏｔｈトランシーバを用い、試験会場内に各半導体プレーヤーから送信される解答を受信する装置を設置することで容易にシステムを実現することが可能となる。
【０１２４】
以上のように、本発明の実施例８に係る個別試験実施装置によれば、個別試験実施装置３０１に解答入力手段３０４により解答を入力していき、無線通信手段３０５によって逐次無線通信を行い、解答を送信し、これを回収できる構成とすることで、受験者それぞれにマークシートのような解答を格納する手段を、あるいはメモリカードのような解答を格納する手段を提供する必要が無くなるとともに、試験終了までの時間を短縮することができる。
【０１２５】
なお、本発明の実施例８では、前記無線通信手段３０５としてＢｌｕｅｔｏｏｔｈトランシーバを用いた例を示したが、無線通信手段３０５はこれに限定されるものではなく、例えば、ＨｏｍｅＲＦ（Ｈｏｍｅ  Ｒａｄｉｏ  Ｆｒｅｑｕｅｎｃｙ）や無線ＬＡＮなどの無線通信機能を有するものであればよいことは言うまでもない。
【０１２６】
また、個別試験実施装置３０１として半導体プレーヤーを例として示したが、ラジカセや半導体プレーヤー以外にも、携帯型音楽プレーヤーなどの音声を再生できる装置であればよいことは言うまでもない。
【実施例９】
【０１２７】
図１４は本発明の実施例９に係る個別試験実施装置の構成を示す図である。図１４において、４０１は本発明の実施例９に係る個別試験実施装置であり、図１１と同一符号は同一または相当部分を示し、４０３は個別試験実施装置４０１ごとに異なる固有番号を格納する固有番号格納手段、４０４は固有番号格納手段４０３に格納されている固有番号を使って復号する復号手段である。
【０１２８】
上記のように構成された本発明の実施例９に係る個別試験実施装置４０１を用いた試験方法について、以下その動作を説明する。
【０１２９】
まず、はじめに試験問題格納手段１０２に固有番号格納手段４０３に格納されている固有番号を使って暗号化された試験問題データを格納しておく。試験実施時には、個別試験実施装置４０１の再生ボタン１０７が押されると、試験問題格納手段１０２に格納されている暗号化された試験問題データが読み出される。復号手段４０４は固有番号格納手段４０３から固有番号を取得し、暗号化された試験問題データの復号を行った後、再生手段１０３に送られ、ヘッドホン１０８に音声として出力される。
【０１３０】
個別試験実施装置４０１として半導体プレーヤー、試験問題格納手段１０２にはメモリーカード、固有番号格納手段４０３に格納されている固有番号に半導体プレーヤー１台ごとに異なるシリアルナンバーを用いることによって、容易にシステムを実現することが可能である。この場合、メモリーカードに格納されている試験問題の暗号化に使われたシリアルナンバーと、半導体プレーヤーのシリアルナンバーとが一致した場合、受験者には正常に試験問題を聞くことが可能となるが、一致しなかった場合、暗号化された試験問題が正しく復号されないことになり、ヘッドホンから聞こえる音は意味をなさない音となる。
【０１３１】
以上のように、本発明の実施例９に係る個別試験実施装置によれば、試験問題格納手段１０２に格納された試験問題を別の個別試験実施装置で再生しようとしても、試験問題の暗号化に使われた固有番号と一致しないため試験問題を聞き取ることが不可能となり、記録メディアを持ち出して他者に聞かせて解答を得るなどの不正行為を防止することが可能となる。
【０１３２】
なお、本発明の実施例９では、固有番号格納手段４０３に格納される固有番号にシリアルナンバーを例に挙げて説明したが、この固有番号はシリアルナンバーに限定したものではなく、個々の個別試験実施装置４０１が限定できるものであればよいことは言うまでもない。
【０１３３】
また、個別試験実施装置４０１として半導体プレーヤーを用いる例を示したが、これを実現する機器はこれに限定すべきものではなく、ラジカセや半導体プレーヤー以外の、例えば、携帯型音楽プレーヤーなどの音声を再生できる装置であればよいことは言うまでもない。
【０１３４】
また、試験問題格納手段１０２としてメモリーカードを用いる例を示したが、試験問題格納手段１０２は、これだけに限定されるものではなく、例えば、ハードディスクやミニディスクなどの記録できる他のメディアであればよいことは言うまでもない。
【実施例１０】
【０１３５】
図１５は本発明の実施例１０に係る個別試験実施装置の構成を示す図である。図１５において、５０１は本発明の実施例１０に係る個別試験実施装置であり、図１４と同一符号は同一または相当部分を示し、５０８は解答入力手段、５０９は解答格納手段である。
【０１３６】
上記のように構成された本発明の実施例１０に係る個別試験実施装置５０１を用いた試験方法について、以下その動作を説明する。
【０１３７】
まず、はじめに試験問題格納手段１０２に固有番号格納手段４０３に格納されている固有番号を使って暗号化された試験問題データを格納しておく。試験実施時には、個別試験実施装置５０１の再生ボタン１０７が押されると、試験問題格納手段１０２に格納されている暗号化された試験問題データが読み出される。復号手段４０４は固有番号格納手段４０３から固有番号を取得し、暗号化された試験問題データの復号を行った後、再生手段１０３に送られ、ヘッドホン１０８に音声として出力される。さらに試験問題の解答は、マークシートに記入するのではなく、解答入力手段５０８で解答を入力し、解答格納手段５０９に格納する。
【０１３８】
個別試験実施装置５０１として半導体プレーヤー、試験問題格納手段１０２と解答格納手段５０９にはメモリーカードを用い、また、固有番号格納手段４０３に格納されている固有番号に半導体プレーヤー１台ごとに異なるシリアルナンバーを用いることによって容易にシステムを実現することが可能である。この場合、メモリーカードに格納されている試験問題の暗号化に使われたシリアルナンバーと、半導体プレーヤーのシリアルナンバーとが一致した場合、受験者には正常に試験問題を聞くことが可能となるが、一致しなかった場合、暗号化された試験問題が正しく復号されないことになり、ヘッドホンから聞こえる音は意味をなさない音となる。試験終了後、メモリーカードをカードリーダーに通して解答を回収し、メモリーカードは受験者が持ち帰るようにする。
【０１３９】
以上のように、本発明の実施例１０に係る個別試験実施装置によれば、試験問題格納手段１０２を試験会場以外で再生しようとしても暗号化に使われた個別試験実施装置５０１の固有番号が一致しないため不可能となり、記録メディアを持ち出して他者に聞かせて解答を得るなどの不正行為を防止することが可能となるとともに、メモリーカードに格納した解答をカードリーダーで回収することで、解答を格納したメモリーカード自体は提出する必要が無くなり、受験者が持ち帰ることで自己採点に利用することが可能となる。したがって、自己採点の精度を大きく向上することができるとともに、受験校の選択までの時間等をも大きく短縮することができる。
【０１４０】
なお、本発明の実施例１０では、個別試験実施装置５０１として半導体プレーヤーを例に挙げて示したが、個別試験実施装置を実現するための機器はこれに限定されるものではなくラジカセや半導体プレーヤー以外の、例えば、携帯型音楽プレーヤーなどの音声を再生できる装置であればよいことは言うまでもない。
【０１４１】
また、試験問題格納手段１０２と解答格納手段５０９として、メモリーカードを用いる例を示したが、例えば、ハードディスクやミニディスクなどの記録できるメディアを用いて実現するようにしてもよいことは言うまでもない。
【実施例１１】
【０１４２】
図１６は、本発明の実施例１１に係る個別試験実施装置の構成を示す図である。図１６において、６０１は本発明の実施例１１に係る個別試験実施装置であり、図１１と同一符号は同一または相当部分を示し、６０２は試験問題格納手段、６０３は再生手段である。
【０１４３】
また、上記試験問題格納手段６０２において、６０４は鍵情報を格納する第１の鍵情報格納手段、６０６は相互認証を行なう第１の相互認証処理手段、６０８は相互認証確立後に読み出し・書き込みが行なえる保護情報格納手段、６０９は相互認証確立に関係なく読み出し・書き込みが行なえる通常情報格納手段である。
【０１４４】
また、再生手段６０３において、６０５は鍵情報を格納する再生手段内の第２の鍵情報格納手段、６０７は相互認証を行なう第２の相互認証処理手段である。
【０１４５】
上記のように構成された本発明の実施例１１に係る個別試験実施装置６０１を用いた試験方法について、以下その動作を説明する。
【０１４６】
はじめに試験問題格納手段６０２内の保護情報格納手段６０８に試験問題を格納する。試験実施時には、個別試験実施装置６０１の再生ボタン１０７が押されると、試験問題格納手段６０２の第１の鍵情報格納手段６０４と再生手段６０３の第２の鍵情報格納手段６０５から双方に共通の鍵を選択する。
【０１４７】
試験問題格納手段６０２の第１の相互認証処理手段６０６と再生手段６０３の第２の相互認証処理手段６０７でそれぞれの鍵情報格納手段から選ばれた鍵を用いて演算を行なう。演算終了後、試験問題格納手段６０２内で演算された結果を再生手段６０３に渡し、再生手段６０３内で演算された結果を試験問題格納手段６０２にそれぞれ渡す。
【０１４８】
試験問題格納手段６０２と再生手段６０３は、自身で演算した結果と相手が演算した結果とを比較し一致していた場合、相互認証が確立する。そして相互認証確立後、再生手段６０３は試験問題格納手段６０２内の保護情報格納手段６０８から試験問題を読み出し、ヘッドホン１０８に音声として出力される。
【０１４９】
個別試験実施装置６０１に著作権保護対応半導体プレーヤーを用い、試験問題格納手段６０２に著作権保護対応メモリーカードを用いることで容易にシステムを実現することが可能である。
【０１５０】
再生ボタン１０７を押すと著作権保護対応メモリーカードで実現された試験問題格納手段６０２と著作権保護対応半導体プレーヤーで実現された個別試験実施装置６０１との間で相互認証処理が行われ、ヘッドホン１０８から音声として出力される。ＳＤメモリーカードのような著作権保護対応メモリーカードには著作権保護のため、相互認証のようなメディアとホストが正当な組み合わせであることを確認するための手段が備わっている。市販されている半導体プレーヤーでの再生を防ぐため、著作権保護の必要な音楽再生に使われている鍵とは別の試験専用の鍵を、著作権保護対応メモリーカードと著作権保護対応半導体プレーヤーに用意することで、試験問題を格納した著作権保護対応メモリーカードと著作権保護対応半導体プレーヤーの組み合わせを限定することが可能となる。
【０１５１】
以上のように、本発明の実施例１１に係る個別試験実施装置によれば、試験問題格納手段６０２と再生手段６０３にそれぞれ鍵情報格納手段（６０４，６０３）を備えたものとし、双方において鍵情報を用いて演算した結果を照合したのち、保護情報格納手段６０８内に格納されている試験問題の再生を許可するようにしたので、試験問題格納手段６０２を試験会場以外で再生しようとしても相互認証を確立することが困難であり、試験会場外での試験問題の再生が不可能となり、記録メディアを持ち出して他者に聞かせて解答を得るなどの不正行為を防止することが可能となる。
【０１５２】
なお、本発明の実施例１１では、個別試験実施装置６０１に著作権保護対応半導体プレーヤーを用い、試験問題格納手段６０２は著作権保護対応メモリーカードを用いる例を示したが、これらの個別試験実施装置と試験問題格納手段に限定したものではなく、個別試験実施装置６０１が特定できるものであれば、他の機器でよいことは言うまでもない。
【０１５３】
また、保護情報格納手段６０８に試験問題データを格納するようにしたが、上記実施例９で示したように、固有番号と復号手段を持ち、試験問題データを固有番号で暗号化を行い、この暗号化された試験問題データを通常情報格納手段６０９に格納し、固有番号を保護情報格納手段６０８に格納する構成とすることによっても同様の効果が得られる。試験実施時には相互認証確立後、固有番号を取得し固有番号と復号手段によって、暗号化された試験問題を復号して再生手段からヘッドホンに音声として出力される。
【実施例１２】
【０１５４】
上記実施例１１では、試験問題格納手段と再生手段にそれぞれ鍵情報格納手段を備えたものとし、これらの間で相互認証を行なった後、試験問題の再生を許可するようにしているため、会場外に記録メディアを持ち出しても試験問題の再生を不能とすることができるものであったが、このように構成された機器を用いて個別試験を実施した際、個別試験実施装置による試験問題の再生が行われなかった場合、相互認証の不成立か機器の故障かが判別できないため、個別試験の実施に大きな遅延が発生しかねないという問題がある。
【０１５５】
そこで、以上のような不具合の対策として、以下、本発明の実施例１２について図１７を参照して説明する。
【０１５６】
図１７は、本発明の実施例１２に係る個別試験実施装置の構成を示す図である。図１７において、図１６と同一符号は同一または相当部分を示し、７０１は個別試験実施装置であり、７１２は表示装置７１３に相互認証結果を表示する相互認証結果表示手段である。
【０１５７】
上記のように構成された本発明の実施例１２に係る個別試験実施装置７０１を用いた試験方法について、以下その動作を説明する。
【０１５８】
はじめに試験問題格納手段６０２内の保護情報格納手段６０８に試験問題を格納する。試験実施時には、個別試験実施装置６０１の再生ボタン１０７が押されると、試験問題格納手段６０２の第１の鍵情報格納手段６０４と再生手段６０３の第２の鍵情報格納手段６０５から、双方に共通の鍵を選択する。
【０１５９】
試験問題格納手段６０２の第１の相互認証処理手段６０６と、再生手段６０３の第２の相互認証処理手段６０７で、それぞれの鍵情報格納手段（６０４，６０５）から選ばれた鍵を用いて演算を行なう。
【０１６０】
演算終了後、試験問題格納手段６０２内で演算された結果を再生手段６０３に、再生手段６０３内で演算された結果を試験問題格納手段６０２にそれぞれ渡す。試験問題格納手段６０２と再生手段６０３とは、自身で演算した結果と相手が演算した結果とを比較する。ここで、結果が一致していた場合、相互認証が確立し、再生手段６０３は試験問題格納手段６０２内の保護情報格納手段６０８から試験問題が読み出されヘッドホン１０８に音声として出力されるが、一致しなかった場合は、試験問題の再生は行われない。しかし、このままでは試験問題の再生が行われなかった要因が相互認証の不成立か機器の故障か分からないため、相互認証結果表示手段７１２によって相互認証の結果を表示装置７１３に表示する。
【０１６１】
個別試験実施装置７０１として、著作権保護対応半導体プレーヤーを用い、試験問題格納手段６０２として著作権保護対応メモリーカードを用い、さらに、表示装置７１３に液晶画面を用いることで容易にシステムを実現することができる。
【０１６２】
以上のように、本発明の実施例１２に係る個別試験実施装置によれば、試験問題格納手段と再生手段との間で相互認証処理を行なう構成の個別試験実施装置において、試験会場で試験問題の再生が行われなかった場合に、機器の故障か不正な組み合わせなのかを判別し、試験を迅速に開始することが可能となる。
【０１６３】
なお、本発明の実施例１２では、個別試験実施装置７０１に著作権保護対応半導体プレーヤーを用い、試験問題格納手段６０２は著作権保護対応メモリーカードを用いる例を示したが、これら機器に限定したものではなく、個別試験実施装置７０１を特定できるものであればよいことは言うまでもない。
【０１６４】
また、表示装置７１３として液晶画面を用いた例を示したが、有機ＥＬディスプレイやＰＤＰなどの、表示できる装置であればよいことは言うまでもない。
【産業上の利用可能性】
【０１６５】
本発明に係る個別試験実施装置は、試験問題を格納する問題格納手段と、前記問題格納手段により格納された試験問題を再生する再生手段と、上記試験問題の再生順序を指示する順序指示手段とを備え、前記順序指示手段へ与える再生順序指示データを保持させる順序データ保持手段を備え、個別試験実施装置１１ごとに試験問題の再生順序を設定することを可能としたので、情報記録再生機能を有し、試験問題の再生等に有用である。また、試験をペーパレスとすることができ、環境を配慮した個別試験実施装置として有用である。
【図面の簡単な説明】
【０１６６】
【図１】図１は、実施例１に係る個別試験実施装置のブロック図を示す。
【図２】図２は、実施例１に係る個別試験実施装置の順序データの１例を示す。
【図３】図３は、実施例１に係る個別試験実施装置の試験会場の座席位置と個別試験実施装置の配列例を示す。
【図４（ａ）】図４（ａ）は、実施例１に係る個別試験実施装置の上面部を示す。
【図４（ｂ）】図４（ｂ）は、実施例１に係る個別試験実施装置の背面部を示す。
【図４（ｃ）】図４（ｃ）は、実施例１に係る個別試験実施装置の背面部の電池ボックス蓋を外した状態を示す。
【図５】図５は、実施例２に係る個別試験実施装置のブロック図を示す。
【図６】図６は、実施例２に係る個別試験実施装置の上面部を示す。
【図７】図７は、実施例３に係る個別試験実施装置のブロック図を示す。
【図８】図８は、実施例４に係る個別試験実施装置のブロック図を示す。
【図９】図９は、実施例４に係る個別試験実施装置の上面部を示す。
【図１０】図１０は、実施例５に係る個別試験実施装置のブロック図を示す。
【図１１】図１１は、実施例６に係る個別試験実施装置のブロック図を示す。
【図１２】図１２は、実施例７に係る個別試験実施装置のブロック図を示す。
【図１３】図１３は、実施例８に係る個別試験実施装置のブロック図を示す。
【図１４】図１４は、実施例９に係る個別試験実施装置のブロック図を示す。
【図１５】図１５は、実施例１０に係る個別試験実施装置のブロック図を示す。
【図１６】図１６は、実施例１１に係る個別試験実施装置のブロック図を示す。
【図１７】図１７は、実施例１２に係る個別試験実施装置のブロック図を示す。
【符号の説明】
【０１６７】
１１，１１ａ，１１ｂ，１１ｃ，１１ｄ  個別試験実施装置
１２  順序データ保持手段
１３  順序指示手段
１４  問題格納手段
１５  再生手段
１６，１６ａ  再生ボタン
１７  ヘッドホン
１８  メモリーカード
１９  表示装置
２０  音量設定ボタン
２０ａ  プラスボタン
２０ｂ  マイナスボタン
２１  電池ボックス蓋
２１ａ  電池ボックス
２２  モード設定スイッチ
２２ａ  プラスモード
２３  個別番号入力手段
２４  順序データ生成手段
２５  受験番号入力ボタン
２５ａ  入力ボタン
２５ｂ  決定ボタン
２５ｃ  消去ボタン
２５ｄ  数字ボタン
２６  時刻データ保持手段
２７  時刻指示手段
２８  解答入力手段
２９  解答格納手段
３０  解答入力ボタン
３０ａ  確定ボタン
３０ｂ  取消ボタン
３０ｃ  英字ボタン
３１  電池残量監視手段
３２  進行度格納手段
３３  警告ランプ
１０１，２０１，３０１，４０１，５０１，６０１，７０１  個別試験実施装置
１０２，６０２  試験問題格納手段
１０３，６０３  再生手段
１０４  個人情報格納手段
１０５  表示手段
１０６，７１３  表示装置
１０７  再生ボタン
１０８  ヘッドホン
２０４，３０４，５０８  解答入力手段
２０５，５０９  解答格納手段
２０６，３０５  無線通信手段
４０３  固有番号格納手段
４０４  復号手段
６０４  第１の鍵情報格納手段
６０５  第２の鍵情報格納手段
６０６  第１の相互認証処理手段
６０７  第２の相互認証処理手段
６０８  保護情報格納手段
６０９  通常情報格納手段
７１２  相互認証結果表示手段
【手続補正３】
【補正対象書類名】図面
【補正対象項目名】全図
【補正方法】変更
【補正の内容】
【図１】
2005091248.tif 000021
【図２】
2005091248.tif 000022
【図３】
2005091248.tif 000023
【図４（ａ）】
2005091248.tif 000024
【図４（ｂ）】
2005091248.tif 000025
【図４（ｃ）】
2005091248.tif 000026
【図５】
2005091248.tif 000027
【図６】
2005091248.tif 000028
【図７】
2005091248.tif 000029
【図８】
2005091248.tif 000030
【図９】
2005091248.tif 000031
【図１０】
2005091248.tif 000032
【図１１】
2005091248.tif 000033
【図１２】
2005091248.tif 000034
【図１３】
2005091248.tif 000035
【図１４】
2005091248.tif 000036
【図１５】
2005091248.tif 000037
【図１６】
2005091248.tif 000038
【図１７】
2005091248.tif 000039
【国際調査報告】
2005091248.tif 000040
2005091248.tif 000041
2005091248.tif 000042
2005091248.tif 000043